(57)【要約】      （修正有）【課題】「時間」に関する所定の条件で発行または消費される販促用の電子ポイントを提供する。【解決手段】時間を単位とする電子的な販促ポイントを流通させるための時間ポイント流通管理ネットワーク・システムの制御方法であって、ユーザの加盟店における所定の経過時間が、該加盟店に設置された位置通知装置から発信される電波を上記クライアント装置の電波検知器で監視しながら専用アプリによって計測される時間である。また、該加盟店の発行条件が、該専用アプリによって計測された時間の単位と同じ単位に基づく発行数の時間ポイントが発行される条件である。更に、上記提携店の消費条件が、上記所定の販促時間に対する該提携店の販売価格によって算出される。【選択図】図１
2019079557.tif 000002
【特許請求の範囲】
【請求項１】
インターネット通信を用いたＷｅｂクライアント・サーバシステムによって、時間を単位とする世界共通の電子的な販促ポイントを発給及び消費させるための時間ポイント管理ネットワーク・システムの制御方法として、
前記時間ポイント管理ネットワーク・システムに用いられるサーバシステムが、ユーザと時間ポイントと時間計測場所を管理するためのデータベースを備えると共に、ユーザと時間計測場所を認証するための認証処理プログラムと、時間ポイントの発行数と消費数を算出するための時間ポイント管理プログラムと、時間ポイントの発行履歴と消費履歴を管理するための履歴管理プログラムと、時間ポイントの発行条件と消費条件を管理するための条件管理プログラムを備えた時間管理システムであって、
また、前記時間ポイント管理ネットワーク・システムに用いられるクライアント装置が、ＧＰＳ受信機を備え、位置情報を感知するための位置情報管理プログラムと、前記位置情報に従って特定区画を確認すると同時に前記区画内に存在する時間を計測する位置計測プログラムとによって構成される専用アプリがインストールされた汎用のコンピュータ機能を有するクライアント装置であって、
前記時間管理システムと前記クライアント装置とのインターネット通信によって、前記ユーザの前記区画において滞留時間が計測され、
計測された前記区画において滞留時間と同一の単位の時間ポイントが時間管理システムによって算出され、前記ユーザに発給された時間ポイントの消費価値が提携店によって設定された時間ポイントの消費条件と前記ユーザの位置情報に従って変動することを特徴とする、
時間ポイント管理ネットワーク・システムの制御方法。
【請求項２】
前記ユーザの前記区画において滞留時間が、ＧＰＳ機能に基づいて現在位置の測位データを取得しながら当該専用アプリによって計測されることを特徴とする、請求項１に記載の時間ポイント管理ネットワーク・システムの制御方法。
【請求項３】
前記ユーザの前記区画において滞留時間は、
前記ＧＰＳ受信機によって計測される前記クライアント装置の測位データが定期的に取得されて、前記インターネットを介して前記時間管理システムに送信される過程と、
前記クライアント装置の前記測位データに第１所定の値αを加減した検索位置データの範囲内の加盟店リスト及び提携店リストが前記クライアント装置に送信される過程と、
前記送信された加盟店リスト及び前記提携店リストに含まれた前記加盟店または前記提携店の位置データが前記クライアント装置の前記測位データに第２所定の値βを加減した滞在位置データの範囲内に位置するか否かが判定される過程と、
を介して計測されることを特徴とする、請求項１に記載の時間ポイント管理ネットワーク・システムの制御方法。
【請求項４】
前記判定過程において、最初に前記加盟店または前記提携店の位置データが前記滞在位置データの範囲内に位置するものと判定されれば、前記滞留時間の計測が開始され、前記時間計測の継続中に前記加盟店または前記提携店の位置データが前記滞在位置データの範囲内に位置しないものと判定されれば、当該時間計測が終了することを特徴とする、請求項３に記載の時間ポイント管理ネットワーク・システムの制御方法。
【請求項５】
前記第１所定の値αは、前記第２所定の値βより大きいことを特徴とする、請求項３または４に記載の時間ポイント管理ネットワーク・システムの制御方法。
【請求項６】
前記専用アプリの機能は、Ｗｅｂブラウザを介したＷｅｂアプリによって提供されることを特徴とする、請求項１に記載の時間ポイント管理ネットワーク・システムの制御方法。
【請求項７】
クライアント装置を用いて、インターネット通信を用いたＷｅｂクライアント・サーバシステムによって、時間を単位とする世界共通の電子的な販促ポイントを発給及び消費させるための時間ポイント管理ネットワーク・システムの制御方法として、
前記クライアント装置は、
ＧＰＳ受信機を備え、ユーザの位置情報を感知するための位置情報管理プログラムと、前記位置情報に従って特定区画を確認すると同時に前記区画内に存在する時間を計測する位置計測プログラムとによって構成される専用アプリがインストールされた汎用のコンピュータ機能を有するクライアント装置であって、
前記ユーザの前記区画において滞留時間が、ＧＰＳ機能に基づいて現在位置の測位データを取得しながら当該専用アプリによって計測され、
前記クライアント装置は、前記滞留時間と同一の単位の時間ポイントを前記サーバシステムから発給を受け、
前記発給された時間ポイントの消費価値が提携店によって設定された時間ポイントの消費条件と前記ユーザの位置情報に従って変動することを特徴とする、
時間ポイント管理ネットワーク・システムの制御方法。
【請求項８】
前記ユーザの前記区画において滞留時間は、
前記ＧＰＳ受信機によって計測される前記クライアント装置の測位データが定期的に取得されて、前記インターネットを介して前記時間管理システムに送信される過程と、
前記クライアント装置の前記測位データに第１所定の値αを加減した検索位置データの範囲内の加盟店リスト及び提携店リストを前記サーバシステムから受信する過程と、
前記受信された加盟店リスト及び前記提携店リストに含まれた前記加盟店または前記提携店の位置データが前記クライアント装置の前記測位データに第２所定の値βを加減した滞在位置データの範囲内に位置するか否かが判定される過程と、
を介して計測されることを特徴とする、請求項７に記載の時間ポイント管理ネットワーク・システムの制御方法。
【請求項９】
前記判定過程において、最初に前記加盟店または前記提携店の位置データが前記滞在位置データの範囲内に位置するものと判定されれば、前記滞留時間の計測が開始され、前記時間計測の継続中に前記加盟店または前記提携店の位置データが前記滞在位置データの範囲内に位置しないものと判定されれば、当該時間計測が終了することを特徴とする、請求項７に記載の時間ポイント管理ネットワーク・システムの制御方法。
【請求項１０】
前記第１所定の値αは、前記第２所定の値βより大きいことを特徴とする、請求項８または９に記載の時間ポイント管理ネットワーク・システムの制御方法。
【請求項１１】
サーバシステムを用いて、時間を単位とする世界共通の電子的な販促ポイントを発給及び消費させるための時間ポイント管理ネットワーク・システムの制御方法として、
前記サーバシステムは、
ユーザと時間ポイントと時間計測場所を管理するためのデータベースを備えると共に、ユーザと時間計測場所を認証するための認証処理プログラムと、時間ポイントの発行数と消費数を算出するための時間ポイント管理プログラムと、時間ポイントの発行履歴と消費履歴を管理するための履歴管理プログラムと、時間ポイントの発行条件と消費条件を管理するための条件管理プログラムを備えた時間管理システムであって、
前記時間管理システムは、所定区画において前記ユーザの滞留時間と同一の単位の時間ポイントを算出して前記ユーザに発給し、
前記ユーザの前記区画において滞留時間は、ＧＰＳ機能に基づいて専用アプリがインストールされたクライアント装置の測位データを取得しながら当該専用アプリによって計測されてインターネットを介して前記時間管理システムに伝送され、
前記ユーザに発給された時間ポイントの消費価値は、提携店によって設定された時間ポイントの消費条件と前記ユーザの位置情報に従って変動することを特徴とする、
時間ポイント管理ネットワーク・システムの制御方法。
【請求項１２】
前記ユーザの前記区画において滞留時間は、
前記クライアント装置に備えられるＧＰＳ受信機によって計測される前記クライアント装置の測位データが定期的に取得されて、前記インターネットを介して前記時間管理システムに送信される過程と、
前記クライアント装置の前記測位データに第１所定の値αを加減した検索位置データの範囲内の加盟店リスト及び提携店リストが前記クライアント装置に送信される過程と、
前記送信された加盟店リスト及び前記提携店リストに含まれた前記加盟店または前記提携店の位置データが前記クライアント装置の前記測位データに第２所定の値βを加減した滞在位置データの範囲内に位置するか否かが判定される過程と、
を介して計測されることを特徴とする、請求項１１に記載の時間ポイント管理ネットワーク・システムの制御方法。
【請求項１３】
前記判定過程において、最初に前記加盟店または前記提携店の位置データが前記滞在位置データの範囲内に位置するものと判定されれば、前記滞留時間の計測が開始され、前記時間計測の継続中に前記加盟店または前記提携店の位置データが前記滞在位置データの範囲内に位置しないものと判定されれば、当該時間計測が終了することを特徴とする、請求項１１に記載の時間ポイント管理ネットワーク・システムの制御方法。
【請求項１４】
前記第１所定の値αは、前記第２所定の値βより大きいことを特徴とする、請求項１２または１３に記載の時間ポイント管理ネットワーク・システムの制御方法。
【請求項１５】
インターネット通信を用いたＷｅｂクライアント・サーバシステムによって、時間を単位とする世界共通の電子的な販促ポイントを発給及び消費させるための時間ポイント発行方法として、
前記時間ポイント管理ネットワーク・システムに用いられるサーバシステムが、ユーザと時間ポイントと時間計測場所を管理するためのデータベースを備えると共に、ユーザと時間計測場所を認証するための認証処理プログラムと、時間ポイントの発行数と消費数を算出するための時間ポイント管理プログラムと、時間ポイントの発行履歴を管理するための履歴管理プログラムと、時間ポイントの発行条件を管理するための条件管理プログラムを備えた時間管理システムであって、
また、前記時間ポイント管理ネットワーク・システムに用いられるクライアント装置が、ＧＰＳ受信機を備え、位置情報を感知するための位置情報管理プログラムと、前記位置情報に従って特定区画を確認すると同時に前記区画内に存在する時間を計測する位置計測プログラムとによって構成される専用アプリがインストールされた汎用のコンピュータ機能を有するクライアント装置であって、
前記時間管理システムと前記クライアント装置とのインターネット通信によって、前記ユーザの前記区画において滞留時間が計測され、
計測された前記区画において滞留時間と同一の単位の時間ポイントが前記時間管理システムによって算出されて前記ユーザに発給されることを特徴とする、
時間ポイント発行方法。
【請求項１６】
前記ユーザの前記区画において滞留時間が、ＧＰＳ機能に基づいて現在位置の測位データを取得しながら当該専用アプリによって計測されることを特徴とする、請求項１５に記載の時間ポイント発行方法。
【請求項１７】
前記ユーザの前記区画において滞留時間は、
前記ＧＰＳ受信機によって計測される前記クライアント装置の測位データが定期的に取得されて、前記インターネットを介して前記時間管理システムに送信される過程と、
前記クライアント装置の前記測位データに第１所定の値αを加減した検索位置データの範囲内の加盟店リスト及び提携店リストが前記クライアント装置に送信される過程と、
前記送信された加盟店リスト及び前記提携店リストに含まれた前記加盟店または前記提携店の位置データが前記クライアント装置の前記測位データに第２所定の値βを加減した滞在位置データの範囲内に位置するか否かが判定される過程と、
を介して計測されることを特徴とする、請求項１５に記載の時間ポイント発行方法。
【請求項１８】
前記判定過程において、最初に前記加盟店または前記提携店の位置データが前記滞在位置データの範囲内に位置するものと判定されれば、前記滞留時間の計測が開始され、前記時間計測の継続中に前記加盟店または前記提携店の位置データが前記滞在位置データの範囲内に位置しないものと判定されれば、当該時間計測が終了することを特徴とする、請求項１７に記載の時間ポイント発行方法。
【請求項１９】
前記第１所定の値αは、前記第２所定の値βより大きいことを特徴とする、請求項１７または１８に記載の時間ポイント発行方法。
【請求項２０】
インターネット通信を用いたＷｅｂクライアント・サーバシステムによって、時間を単位とする世界共通の電子的な販促ポイントを発給及び消費させるための時間ポイント消費方法として、
前記時間ポイント管理ネットワーク・システムに用いられるサーバシステムが、ユーザと時間ポイントと時間計測場所を管理するためのデータベースを備えると共に、ユーザと時間計測場所を認証するための認証処理プログラムと、時間ポイントの発行数と消費数を算出するための時間ポイント管理プログラムと、時間ポイントの消費履歴を管理するための履歴管理プログラムと、時間ポイントの消費条件を管理するための条件管理プログラムを備えた時間管理システムであって、
また、前記時間ポイント管理ネットワーク・システムに用いられるクライアント装置が、ＧＰＳ受信機を備え、位置情報を感知するための位置情報管理プログラムと、前記位置情報に従って特定区画を確認すると同時に、前記区画内に存在する時間を計測する位置計測プログラムとによって構成される専用アプリがインストールされた汎用のコンピュータ機能を有するクライアント装置であって、
前記時間管理システムと前記クライアント装置とのインターネット通信によって、前記ユーザの前記区画において滞留時間が計測され、
計測された前記区画において滞留時間と同一の単位の時間ポイントがセンターによって算出され、前記ユーザに発給された時間ポイントの消費価値が提携店によって設定された時間ポイントの消費条件と前記ユーザの位置情報に従って変動することを特徴とする、
時間ポイント消費方法。
【請求項２１】
前記ユーザの前記区画において滞留時間が、ＧＰＳ機能に基づいて現在位置の測位データを取得しながら当該専用アプリによって計測されることを特徴とする、請求項２０に記載の時間ポイント消費方法。
【請求項２２】
前記ユーザの前記区画において滞留時間は、
前記ＧＰＳ受信機によって計測される前記クライアント装置の測位データが定期的に取得されて、前記インターネットを介して前記時間管理システムに送信される過程と、
前記クライアント装置の前記測位データに第１所定の値αを加減した検索位置データの範囲内の加盟店リスト及び提携店リストが前記クライアント装置に送信される過程と、
前記送信された加盟店リスト及び前記提携店リストに含まれた前記加盟店または前記提携店の位置データが前記クライアント装置の前記測位データに第２所定の値βを加減した滞在位置データの範囲内に位置するか否かが判定される過程と、
を介して計測されることを特徴とする、請求項２０に記載の時間ポイント消費方法。
【請求項２３】
前記判定過程において、最初に前記加盟店または前記提携店の位置データが前記滞在位置データの範囲内に位置するものと判定されれば、前記滞留時間の計測が開始され、前記時間計測の継続中に前記加盟店または前記提携店の位置データが前記滞在位置データの範囲内に位置しないものと判定されれば、当該時間計測が終了することを特徴とする、請求項２２に記載の時間ポイント消費方法。
【請求項２４】
前記第１所定の値αは、前記第２所定の値βより大きいことを特徴とする、請求項２２または２３に記載の時間ポイント消費方法。
【発明の詳細な説明】
【技術分野】
【０００１】
本発明は、ネットワークを介して販促ポイントを流通させる技術に関する。
【背景技術】
【０００２】
販売促進を目的として、特定の商店や商店街などにおいて、ユーザの来店や商品購入時などに販促ポイントを発行するサービスを行っている。
【０００３】
通常、この様な販促ポイントは、販売金額に応じて発行されるため、その発行者は、ポイント発行装置を設備して販売時点管理を行うＰＯＳシステムと連携させたり、ユーザを認証するための会員カード（磁気やＩＣ付きのカードなど）を交付し、ユーザの来店や商品購入時に提示される該会員カードを該ポイント発行装置に読み取らせるなどして、販売金額に応じたポイントを発行し、該発行データをインターネットなどを介してセンターのポイント管理システムによって記録しておくことで、次回商品購入時、ユーザに会員カードを提示してもらうだけで、該発行された販促ポイントを割引などに使ってもらうポイント・サービスを行っている。
【０００４】
近年、インターネット基盤が拡充されると共に、携帯端末（スマートフォンやタブレットなど）の性能が急速に進化し、その様な携帯端末用に様々なアプリが、周知のＨＴＭＬ言語とＪａｖａＳｃｒｉｐｔやＰＨＰ、Ｐｅｒｌ、Ｊａｖａ、ＣやＣ++などのプログラム言語によって開発される中、ポイント・サービスを行う事業者によって販促ポイント管理用の専用アプリなども配信され始めている。
【０００５】
この様な専用アプリは、インターネットを介し、ユーザ自身によってスマートフォン（携帯電話）にインストールされ、ポイント・サービスを行う事業者が、コストの掛かるポイント発行装置を設置したり会員カードを発行することなく販促ポイントをユーザに提供でき、また、ユーザが、販促ポイントの残高や発行店のイベント情報などをいつでも確認することを可能にし、ポイント・サービスの普及に大きく貢献していることが知られ始めている。
【０００６】
本出願の発明者は、既に、「電子チップ流通方法、電子チップ流通サーバ装置、及び電子チップ流通システム」に関する特許出願（１９９８年５月２１日出願の特願平１０−１３９０５６）によって、この様な販促用電子ポイントを流通させるための技術について開示し、その請求項１「電子チップを流通させるための電子チップ流通方法であって、ユーザによる所定の発行操作に対して、設定されている電子チップ発行条件に基づき電子チップを発行し、ユーザによる所定の消費操作に対して、設定されている電子チップ消費条件に基づき前記電子チップの消費を受け付け、前記ユーザに、そのユーザが保有する電子チップに関する情報を、電子チップ情報として供給し、前記電子チップの発行履歴及び前記電子チップの消費履歴を管理し、該電子チップの発行履歴及び消費履歴に基づき、前記電子チップ発行条件及び前記電子チップ消費条件を算出する、過程を含むことを特徴とする電子チップ流通方法。」に記載の方法よって販促用の電子チップ（ポイント）を流通させることについて詳細に述べているところ、前述した専用アプリにこの様な技術を応用すれば、特定の販促用電子ポイントを他の販促ポイントと交換し、販促ポイントを発行した商店での割引に限定されず、他店での商品購入やサービス利用、ゲームへの参加などにも使え、この様な技術を背景とした新たなポイント・サービスも台頭し始めている。
【０００７】
この様なサービスに用いられる技術は、前述した本出願の発明者による特許出願「電子チップ流通方法、電子チップ流通サーバ装置、及び電子チップ流通システム」に記述されたクライアント・サーバ技術を携帯端末の専用アプリとポイント管理サーバなどに組み込むことにより実現できるところ、その様なポイント流通が実現される背景には、該特許出願の請求項３「請求項１に記載の方法であって、前記電子チップ消費条件は、前記電子チップの単位と貨幣の単位との換算レートと、該電子チップの有効期限とを含む、ことを特徴とする電子チップ流通サーバ装置。」に記載の「電子チップの単位と貨幣の単位との換算レート」が必須となることは経済原理からして明らかである。
【０００８】
しかし、この様な「電子チップの単位と貨幣の単位との交換レート」を背景技術とする販促ポイントの流通には、常に、該販促ポイントの発行元と該販促ポイントの消費先との間において、ユーザごとのポイント消費に応じた金銭的な精算処理が必要になり、その処理には膨大なシステムとコストが必要となることは言うまでもなく、事実、この様なポイント交換（流通）は大資本によって運営されており、小資本の商店や商店街などは、その利用のために比較的高いコストを支払っている。
【０００９】
以上に記述したとおり、本来、販促ポイントは、特定の商店や商店街などを発行主体として、自店における販売促進の有効な手段として発展してきたが、インターネットの拡充と端末技術の進化において電子化されながら、いつの間にか、その発行主体の意志に関係なく流通し始め、大資本によるポイント・サービス運営企業の収益ツールに変化しつつある。
【００１０】
一方で、社会の高齢化や少子化に伴い地域経済が疲弊する中、小資本の商店や商店街などが急激に衰退し始め、地域における買い物弱者の増加が際立っているが、この様な商店や商店街は地域生活者に密着しており、特に、可処分余暇時間が多い高齢者のコミュニティ拠点としても期待されているところ、その存在力を強化するための施策（技術）が必要となっている。
【発明の概要】
【発明が解決しようとする課題】
【００１１】
本発明は、上述の課題を解決するものであり、その目的は、生活者に密着した商店や商店街などにおいて、「時間」に関する所定の条件で発行または消費される販促用の電子ポイントが該生活者（ユーザ）の時間に対する価値観に応じて交換（流通）されることによって各店における商材やサービスの充足性が相互補完されるところにあり、生活者の消費行為によって発行される割引目的のポイントにコスト負担を強いられている小資本、小規模の商店や商店街などに、販促の本来的な意義が発揮される時間を単位とする販促ポイントを提供することにある。
【課題を解決するための手段】
【００１２】
本発明の時間ポイント流通管理ネットワーク・システムの制御方法は、
インターネット通信を用いたＷｅｂクライアント・サーバシステムによって、時間を単位とする電子的な販促ポイントを流通させるための時間ポイント流通管理ネットワーク・システムの制御方法として、
上記時間ポイント流通管理ネットワーク・システムに用いられるサーバシステムが、ユーザと時間ポイントと時間計測場所を管理するためのデータベースを備えると共に、ユーザと時間計測場所を認証するための認証処理プログラムと、時間ポイントの発行履歴と消費履歴を管理するためのポイント管理プログラムと、時間ポイントの発行条件と消費条件を管理するための条件管理プログラムとを備えた時間管理システムであって、
また、上記時間ポイント流通管理ネットワーク・システムに用いられるクライアント装置が、電波検知器を備え、位置通知装置から発信される電波を検知すると共に、これを監視しながら時間計測を行う受信計測プログラムと、時間ポイントの発行数を算出するためのポイント発行プログラムと、時間ポイントの消費数を算出するためのポイント消費プログラムとによって構成される専用アプリがインストールされた汎用のコンピュータ機能を有するクライアント装置であって、
上記時間管理システムと上記クライアント装置とのインターネット通信によって、
（ａ）上記ユーザに対して、時間ポイントが発行される加盟店と該加盟店における時間ポイントの発行条件に関する「加盟店案内ガイド」及び、時間ポイントを消費できる提携店と該提携店における時間ポイントの消費条件に関する「提携店案内ガイド」が提供される過程と、
（ｂ）上記ユーザの上記加盟店における所定の経過時間に対して、上記「加盟店案内ガイド」の発行条件に基づく時間ポイントが発行される過程と、
（ｃ）上記ユーザの上記提携店における所定の販促時間に対して、上記「提携店案内ガイド」の消費条件に基づく時間ポイントの消費が受け付けられる過程と、
（ｄ）上記時間ポイントの発行及び消費に関する処理と該発行履歴及び該消費履歴が管理される過程と、
（ｅ）上記ユーザに対し、該ユーザが保有する時間ポイントに関する情報が提供される過程を含み、
上記ユーザの上記加盟店における所定の経過時間が、該加盟店に設置された位置通知装置から発信される電波を上記クライアント装置の電波検知器で監視しながら上記専用アプリによって計測される時間であって、該加盟店の上記発行条件が、該専用アプリによって計測された時間の単位と同じ単位に基づく発行数の時間ポイントが発行される条件であることを特徴とする。
【００１３】
また、前記加盟店の発行条件によって発行される時間ポイントが、前記提携店における所定の販促時間に対する該提携店の販売価格によって算出される消費条件に基づいて消費されることを特徴とする。
【００１４】
また、前記クライアント装置が、ＧＰＳ受信機を備えたクライアント装置であって、該クライアント装置にインストールされる前記専用アプリを構成するプログラムに位置計測プログラムを加えることで、前記ユーザの前記加盟店における所定の経過時間が、ＧＰＳ機能に基づく現在位置の測位データを取得しながら該専用アプリによって計測される時間であることを特徴とする。
【００１５】
また、前記加盟店と前記提携店の両方、または、どちらか一方が、Ｗｅｂサービスシステムを運営するネットワーク企業であって、該ネットワーク企業のＷｅｂサービスシステムに対する前記ユーザの特定操作に関する所定の経過時間が、該Ｗｅｂサービスシステムと前記時間管理システムとのＷｅｂ−ＡＰＩ交換によって計測されると共に、該計測された時間に基づき前記時間ポイントが発行または消費されることを特徴とする。
【００１６】
また、前記ユーザの特定操作に関する所定の経過時間が、ユーザによるネットショップに対する注文操作に関する注文時刻から注文商品の到着時刻までの経過時間であることを特徴とする。
【００１７】
また、前記ユーザの特定操作に関する所定の経過時間が、ユーザによるネットゲームに対するプレイ操作に関するプレイ開始時刻からプレイ終了時刻までの経過時間であることを特徴とする。
【００１８】
また、前記ユーザの特定操作に関する所定の経過時間が、ユーザによるネット広告に対する視聴操作に関する視聴開始時刻から視聴終了時刻までの経過時間であることを特徴とする。
【００１９】
また、時間ポイント管理ネットワーク・システムの制御方法は、
インターネット通信を用いたＷｅｂクライアント・サーバシステムによって、時間を単位とする世界共通の電子的な販促ポイントを発給及び消費させるための時間ポイント管理ネットワーク・システムの制御方法として、
前記時間ポイント管理ネットワーク・システムに用いられるサーバシステムが、ユーザと時間ポイントと時間計測場所を管理するためのデータベースを備えると共に、ユーザと時間計測場所を認証するための認証処理プログラムと、時間ポイントの発行数と消費数を算出するための時間ポイント管理プログラムと、時間ポイントの発行履歴と消費履歴を管理するための履歴管理プログラムと、時間ポイントの発行条件と消費条件を管理するための条件管理プログラムを備えた時間管理システムであって、
また、前記時間ポイント管理ネットワーク・システムに用いられるクライアント装置が、ＧＰＳ受信機を備え、位置情報を感知するための位置情報管理プログラムと、前記位置情報に従って特定区画を確認すると同時に前記区画内に存在する時間を計測する位置計測プログラムとによって構成される専用アプリがインストールされた汎用のコンピュータ機能を有するクライアント装置であって、
前記時間管理システムと前記クライアント装置とのインターネット通信によって、前記ユーザの前記区画において滞留時間が計測され、
計測された前記区画において滞留時間と同一の単位の時間ポイントが時間管理システムによって算出され、前記ユーザに発給された時間ポイントの消費価値が提携店によって設定された時間ポイントの消費条件と前記ユーザの位置情報に従って変動することを特徴とする。
【００２０】
また、前記ユーザの前記区画において滞留時間が、ＧＰＳ機能に基づいて現在位置の測位データを取得しながら当該専用アプリによって計測されることを特徴とする。
【００２１】
また、前記ユーザの前記区画において滞留時間は、
前記ＧＰＳ受信機によって計測される前記クライアント装置の測位データが定期的に取得されて、前記インターネットを介して前記時間管理システムに送信される過程と、
前記クライアント装置の前記測位データに第１所定の値αを加減した検索位置データの範囲内の加盟店リスト及び提携店リストが前記クライアント装置に送信される過程と、
前記送信された加盟店リスト及び前記提携店リストに含まれた前記加盟店または前記提携店の位置データが前記クライアント装置の前記測位データに第２所定の値βを加減した滞在位置データの範囲内に位置するか否かが判定される過程と、
を介して計測されることを特徴とする。
【００２２】
また、前記判定過程において、最初に前記加盟店または前記提携店の位置データが前記滞在位置データの範囲内に位置するものと判定されれば、前記滞留時間の計測が開始され、前記時間計測の継続中に前記加盟店または前記提携店の位置データが前記滞在位置データの範囲内に位置しないものと判定されれば、当該時間計測が終了することを特徴とする。
【００２３】
また、前記第１所定の値αは、前記第２所定の値βより大きいことを特徴とする。
【００２４】
また、前記専用アプリの機能は、Ｗｅｂブラウザを介したＷｅｂアプリによって提供されることを特徴とする。
【図面の簡単な説明】
【００２５】
【図１】第１の実施形態に関する概要図を示す。
【図２】ユーザによる所定の発行操作を示す。
【図３】ユーザによる所定の消費操作を示す。
【図４】ユーザ登録に関する概要図を示す。
【図５】「加盟店案内ガイド」の登録及び提供に関する概要図を示す。
【図６】「提携店利用ガイド」の登録及び提供に関する概要図を示す。
【図７】加盟店と提携店の連携に関する構成図を示す。
【図８】販促利用チケットの発行及び利用に関する概要図を示す。
【図９】ＧＰＳ機能を用いた時間計測に関する構成図を示す。
【図１０】Ｗｅｂ−ＡＰＩに関する資料（Ｇｏｏｇｌｅ社）を示す。
【図１１】ＧＰＳ機能を用いた実施例の概要図（高速道路）を示す。
【図１２】第２の実施形態  実施例の概要図（ネットショップ）を示す。
【図１３−１】第２の実施形態  実施例の概要図（ネット広告）を示す。
【図１３−２】第２の実施形態  実施例の概要図（ネット広告）の部分拡大図を示す。
【図１４−１】第２の実施形態  実施例の概要図（ネットゲーム）を示す。
【図１４−２】第２の実施形態  実施例の概要図（ネットゲーム）の部分拡大図を示す。
【図１５】ユーザ管理データベース  レコードレイアウトを示す。
【図１６】加盟店管理データベース  レコードレイアウトを示す。
【図１７】提携店管理データベース  レコードレイアウトを示す。
【図１８】加盟店ガイドデータベース  レコードレイアウトを示す。
【図１９】提携店ガイドデータベース  レコードレイアウトを示す。
【図２０】位置通知装置データベース  レコードレイアウトを示す。
【図２１】ポイント管理データベース  レコードレイアウトを示す。
【図２２】販促チケット管理データベース  レコードレイアウトを示す。
【発明を実施するための形態】
【００２６】
[発明の概略]
本発明は、ネットワークを介して販促ポイントを流通させる技術を前提とするものであり、その第１の実施形態は、該販促ポイントが特定場所における所定時間を計測して発行または消費される時間ポイントであることを特徴とする。
【００２７】
先ず、ユーザによる所定の発行操作に対して、設定されている時間計測条件に基づき時間が計測される。
【００２８】
具体的には、例えば、ユーザが、販促ポイントの発行に関する情報を管理する専用アプリがインストールされたＢｌｕｅｔｏｏｔｈ電波を検知する機能を備えたスマートフォン（携帯電話）やタブレットＰＣなどのクライアント装置を所持して特定の店舗や施設などを訪れると、該クライアント装置によって、該店舗や施設などに設置された位置通知装置から発信されるＢｌｕｅｔｏｏｔｈ電波が検知され、（１）該ユーザの来店時から退店時までの間の時間、または（２）特定のサービスや商品を注文してから該サービスや商品が該ユーザに提供されるまでの間の時間、或いは、（３）通常の所要時間を超過した時間などが計測され、該計測された時間に関する時間計測データが、インターネットを介して、該クライアント装置からポイント管理センターの時間管理システムに送信され、該送信された時間計測データに基づく所定の発行条件によって時間ポイントが発行される。
【００２９】
なお、上記時間ポイントの発行条件には、ユーザ属性（利用者ＩＤと結合した個人情報などによる）や該時間ポイントの有効期限、発行場所（位置通知装置の識別情報による）などが含まれても良い。
【００３０】
次に、ユーザによる所定の消費操作に対して、設定されている時間計測条件に基づき時間が計測される。
【００３１】
具体的には、例えば、ユーザが、販促ポイントの消費に関する情報を管理する専用アプリがインストールされたＢｌｕｅｔｏｏｔｈ電波を検知する機能を備えたスマートフォン（携帯電話）やタブレットＰＣなどをクライアント装置を所持して特定の店舗や施設などを訪れると、該クライアント装置によって、該店舗や施設などに設置された位置通知装置から発信されるＢｌｕｅｔｏｏｔｈ電波が検知され、（１）該ユーザの来店時から退店時までの間の時間、または（２）特定のサービスが開始されてから該サービスが終了するまでの間の時間、或いは、（３）通常のサービス時間を超過した時間などが計測され、該計測された時間に関する時間計測データが、インターネットを介して、該クライアント装置からポイント管理センターの時間管理システムに送信され、該送信された時間計測データに基づく所定の消費条件によって時間ポイントが消費される。
【００３２】
なお、上記時間ポイントの消費条件には、ユーザ属性（利用者ＩＤと結合させた個人情報による）や該時間ポイントの有効期限、その発行場所（位置通知装置の識別情報による）などが含まれる場合がある。
【００３３】
また、ユーザには、該ユーザが保有する時間ポイントに関する情報（ポイント残高、有効期限、交換レート等）が、時間ポイント情報として供給される。
【００３４】
そして、前記ユーザによる所定の発行操作及び消費操作により前記クライアント装置から前記時間管理システムに送信された各時間計測データに基づく所定の発行条件によって発行された時間ポイント及び所定の消費条件によって消費された時間ポイントは、それぞれ、時間ポイント発行履歴データ及び時間ポイント消費履歴データとして、データベース管理サーバ装置によって、ポイント管理データベースに記録される。
【００３５】
先ず、前記ユーザによる所定の発行操作において、時間管理システム内の時間ポイント発行モジュールは、前記クライアント装置から送信された前記時間計測データと該操作を行ったユーザの識別情報（クライアント装置や該クライアント装置にインストールされた専用アプリの識別情報など）及び前記時間ポイントの発行条件とに基づいて前記時間ポイントを発行（加算）すると共に、該ユーザによる所定の発行操作に関する履歴が管理され、また、前記時間ポイント情報供給モジュールは、該クライアント装置に対し、ユーザが保有する時間ポイントに関する情報を時間ポイント情報として供給する。
【００３６】
次に、前記ユーザによる所定の消費操作において前記時間管理システム内の時間ポイント消費モジュールは、前記クライアント装置から送信された前記時間計測データと該操作を行ったユーザの識別情報（クライアント装置や該クライアント装置にインストールされた専用アプリの識別情報など）及び前記時間ポイントの消費条件とに基づいて前記時間ポイントを消費（減算）すると共に、該ユーザによる所定の消費操作に関する履歴が管理され、また、前記時間ポイント情報供給モジュールは、該クライアント装置に対し、ユーザが保有する時間ポイントに関する情報を時間ポイント情報として供給する。
【００３７】
ここで、前記ユーザによる所定の発行操作によって発行された時間ポイントと前記ユーザによる所定の消費操作によって消費される時間ポイントを従来の販促ポイントとして捉えると、その交換レートは、その単位（例えば、貨幣における「円」や距離における「Km」、時間における「分」に相当する部分）において、必ず１：１となるのが、いわゆる共通ポイントに関する従来技術であって、これを例示すると、例えば、特定の発行元は、発行した販促ポイントと貨幣との換算レートに応じた費用をポイント管理事業者に支払い、ユーザが特定の消費先において販促ポイントを消費すると、該消費に充当された販促ポイントの貨幣との換算レートに基づく費用を該ポイント管理事業者が該消費先に支払うことで、該消費先におけるユーザに対する割引などを実現する技術の構成であるが、この様な従来技術による共通ポイントを採用したサービス・モデルにおいては、商材やサービスに限りがある小規模商店や専門店などが該共通ポイントを介して相互連携できるため、販促サービスに対するユーザの充足感が高められると言われているものの、ポイント管理事業者に対する該販促ポイントの発行または消費に係る処理手数料やシステム利用料が高く（通常、販促ポイントの発行に伴う売上金額の１〜２％）、また同販促ポイントの発行高とユーザの再来店がバランスしない、即ち、ユーザは、販促ポイントの消費条件が良いところに流れ易く、発行店にとっては、必ずしも、販促ポイントの発行高に見合うユーザの再来店が期待できないため、販促ポイントの発行コストが負担に感じられると言う欠点なども指摘されている。
【００３８】
本発明では、この様な従来技術の欠点を補うため、発行元における販促ポイントの発行条件を「時間」という物理的相対値を基準に特定する一方で、該販促ポイントの消費条件を「販促時間」に係る売価基準によって算出する技術を提供する。
【００３９】
即ち、発行元において、販促ポイントをユーザの商品購入価格に応じて発行するのではなく、ユーザによる所定の発行操作に基づく「時間」を基準に前記時間管理システムを運営するポイント流通センター（第三者）が時間ポイントを発行し、また消費先に対し、該消費先がユーザに提供する販促用の商材やサービスと該時間ポイントとの交換（消費）条件、即ち、換算レートを「販促時間」に係る売価基準によって算出させると共に、これら販促情報を該ポイント流通センターがユーザ（該時間ポイントの保有者）にアピール（例えば、電子メールなどで配信）することで、該消費先が提供する販促用の商材やサービスに係るコストと該発行元の時間ポイント発行コストをバランスさせる技術であり、この技術による共通ポイントを採用するサービス・モデルでは、該時間ポイントの発行コストを限りなくゼロにしつつ発行元と消費先の商材やサービスを相互補完させることが可能になり、また販促サービスに対するユーザの満足度も大幅に高めることが可能になる。
【００４０】
従って、本発明においては、前述した様な、ユーザによる所定の発行操作によって発行された時間ポイントと該ユーザによる所定の消費操作によって消費される時間ポイントとの交換レートは、その単位において、必ずしも１：１とはならず、共通ポイントに関する従来技術と根本的に異なる。
【００４１】
即ち、前記ユーザによる所定の発行操作によって発行される時間ポイントは、該ユーザの発行元における所定の経過時間に対して発行される時間ポイントであって、この様な時間ポイントが、貨幣との換算を前提としない「時間」と言う物理的相対値として、例えば、該所定の経過時間１分に対して１ＴＰ（ＴＰは、時間ポイントの単位）発行されれば、例えば、設備系サービス事業者（カラオケ店や映画館、遊園地、ゲームセンターなどの遊技場など）や施術系サービス事業者（美容室やエステ店、マッサージ治療院など）は、該時間ポイントの数に応じて、利用料金や販売価格などを割引く方法によってユーザの来店を促すのではなく、「サービス時間」の割増や「試用時間」の提供、或いは、「待ち時間」の短縮（優先入場）など、「販促時間」の提供と言う方法によってユーザに来店を促すことができ、しかも、販促に関する特別なコスト（割引は、実質的な販促コストである）を掛ける必要も無いので、本発明による時間ポイント流通管理ネットワーク・システムにおける消費先として参加することが期待されるところ、これら消費先は、それぞれ「販促時間」の売価基準（即ち、該消費先における該「販促時間」の単位時間当たりの通常の利用料金や通常の販売価格等）が異なるため、該所定の発行操作によって発行された時間ポイントの該消費先における消費条件については、例えば、該消費先における該「販促時間」の単位（１分）に対する時間ポイントの消費数として算出されるポイント売価、即ち、該「販促時間」の売価基準に基づく値（ｎ）に相当する時間ポイント数（ｎＴＰ）によって、その普遍性が担保されるので、該消費条件、即ち、該所定の発行操作によって発行された時間ポイントと該消費先における所定の消費操作によって消費される時間ポイントとの交換レートは、その単位において、１：ｎＴＰとして定められる。
【００４２】
これは、例えば、カラオケ店を消費先とした場合、利用時間１時間（６０分）に対する利用料金３００円から、まず「販促時間」に係る売価基準によって販促売価を求めると、該カラオケ店の販促売価は、１分に対し５円（単位は、円／分）となる。
【００４３】
ここで、本発明における時間ポイントは、物理的相対値である「時間」を基準に、例えば、「待ち時間」１分に対して１分と言う単位（分／分）によって時間ポイントが発行されるので、該カラオケ店における「販促時間」１分の売価基準による時間ポイント売価は、５円／分÷１分／分から、５ＴＰと定めることができる。
【００４４】
また、例えば、映画館を消費先とした場合、平均上映時間１２０分に対する大人料金２４００円から、まず「販促時間」に係る売価基準によって販促売価を求めると、該映画館の販促売価は、１分に対し２０円（単位は、円／分）となる。
【００４５】
ここで、本発明における時間ポイントは、前述した通り、物理的相対値である「時間」を基準に１分に対して１分と言う単位（分／分）によって該時間ポイントが発行されるので、該映画館における「販促時間」１分の売価基準による時間ポイント売価は、２０円／分÷１分／分から、２０ＴＰと定めることができる。
【００４６】
更に、例えば、マッサージ店を消費先とした場合、施術時間６０分に対する施術料金６１００円から、まず「販促時間」に係る売価基準によって販促売価を求めると、該マッサージ店の販促売価は、１分に対し１００円（単位は、円／分）となる。
【００４７】
ここで、本発明における時間ポイントは、前述した通り、物理的相対値である「時間」を基準に１分に対して１分と言う単位（分／分）によって該時間ポイントが発行されるので、該映画館における「販促時間」１分の売価基準による時間ポイント売価は、１００円／分÷１分／分から、１００ＴＰと定めることができる。
【００４８】
また、更に、例えば、エステ店を消費先とした場合、施術時間６０分に対する施術料金１２０００円から、まず「販促時間」に係る売価基準によって販促売価を求めると、該エステ店の販促売価は、１分に対し２００円（単位は、円／分）となる。
【００４９】
ここで、本発明における時間ポイントは、前述した通り、物理的相対値である「時間」を基準に１分に対して１分と言う単位（分／分）によって該時間ポイントが発行されるので、該エステ店における「販促時間」１分の売価基準によるポイント売価は、２００円／分÷１分／分から、２００ＴＰと定めることができる。
【００５０】
ここで、ある地域における美容室やエステ店などでは、その顧客が重複する場合が多いので、例えば、本発明による前記時間ポイントの発行元として美容室を、また、その消費先としてエステ店とすることにより、各店における商材やサービスの充足性を容易に相互補完することができる。
【００５１】
具体的には、美容室における施術時間は、通常、その内容や顧客の込み具合によって変動し、これを厳密に定めることができないため、顧客に「待ち時間」が生じることが良くある。
【００５２】
一般的に「待ち時間」は顧客にとって「不快な時間」なので、美容室などでは、これを和らげるため待機環境の整備（豪華なソファを設置したり、飲料水などを提供したり）にコストを掛けているが、本発明によれば、例えば、美容室において、この様な「待ち時間」を基準に前記時間ポイントを顧客（ユーザ）に付与（発行）し、該顧客（ユーザ）に、該付与（発行）された該時間ポイントをエステ店の「販促時間」に使ってもらえば、「不快な時間」を「快適な時間」に交換できるので、コストを掛けず理想的な提携関係を容易に構築することができる。
【００５３】
この場合、先ず、ユーザによる所定の発行操作、例えば、顧客（ユーザ）が、前述したクライアント装置を所持して前述の位置通知装置が設置された美容室に来店すると、該クライアント装置によって、該位置通知装置が発信するＢｌｕｅｔｏｏｔｈ規格の電波が検知される共に、該位置通知装置の識別情報が取得され、該位置通知装置の識別情報と該クライアント装置の識別情報が、インターネットを介して、該クライアント装置から前記ポイント管理センターの時間管理システムに送信されると共に、時間計測が開始され、また、該ユーザが該美容室を退店すると、該クライアント装置によって、該位置通知装置が発信するＢｌｕｅｔｏｏｔｈ規格の電波が検知されなくなり、該位置通知装置の識別情報と該クライアント装置の識別情報及び、該ユーザの来店から退店までの計測時間と所定の発行条件に基づき算出された時間ポイントの発行数が、インターネットを介して、該クライアント装置から該ポイント管理センターの時間管理システムに送信され、該時間管理システムにおいて、該送信された位置通知装置の識別情報とクライアント装置の識別情報及び、時間ポイントの発行数が、該ユーザに付与（ポイント管理データベースに記録）される。
【００５４】
なお、前記クライアント装置において、前記計測時間と所定の発行条件に基づき算出された時間ポイントの発行数は、前記該計測時間を該クライアント装置から前記ポイント管理センターの時間管理システムに送信することにより、該時間管理システムにおいて、該送信された計測時間と所定の発行条件に基づき算出することもできる。
【００５５】
また、上述の時間ポイント発行条件については、ユーザのクライアント装置が美容室の位置通知装置を検知（入店）してから非検知（退店）するまでの「時間」、即ち、ユーザの美容室における「滞在時間」に基づいて発行されるように設定したが、実質的な前記「待ち時間」を計測する場合には、例えば、前記位置通知装置を待合コーナーに設置したり、或いは、該美容室における通常の「施術時間」を定めておき、該「滞在時間」から該通常の「施術時間」を差し引くなどすれば、簡単に実質的な「待ち時間」を算出することができる。
【００５６】
次に、前記顧客（ユーザ）が前記美容室での「待ち時間」に基づいて付与（発行）された時間ポイントを使用する方法については、例えば、後述する「提携店利用ガイド」に関する所定の登録操作によれば、前述した様なエステ店が、ユーザによる所定の消費操作を受け付ける前記消費先として、店舗情報などの基本情報や販促企画（「販促時間」の提供内容など）を告知するための広告情報を前記ポイント管理センターの提携店ガイドデータベースに登録しておくと、該登録された店舗情報や広告情報が「提携店利用ガイド」に反映され、該「提携店利用ガイド」が前記専用アプリによって該ユーザのクライアント装置において表示されるので、該ユーザは、保有する時間ポイントの利用（消費）先として該エステ店の販促企画を知ることになる。
【００５７】
そこで、該ユーザが、該エステ店に赴き、該クライアント装置の専用アプリを起動すると、該エステ店に設置された位置通知装置が該クライアント装置によって検知されると共に、該エステ店において利用（消費）できるその時点の「販促時間」が該クライアント装置において表示され、該ユーザによる所定の消費操作、例えば、「販促時間」の「利用ボタン」がクリックされることにより、該クライアント装置から該ポイント管理センターの前記時間管理システムに対して該「販促時間」を利用する「承認情報」が送信され、該時間管理システムにおいて、該送信された「承認情報」に基づく該「販促時間」の利用（消費）に要する時間ポイント数の減算処理が行われると共に、該減算処理結果が、例えば、該エステ店のクライアント装置（携帯端末やＰＣなど）と該ユーザの該クライアント装置の両方、または何れか一方に、例えば、周知のＱＲコードや販促利用に関するメッセージを含むチケット情報として表示させることができる。
【００５８】
なお、前述の「販促時間」に係る売価基準の算定については、例えば、映画館などでは、６０才以上の消費者に割引をしたり、またマッサージ店などでも、女性客に対する割引を行っている場合があることから、ユーザの属性などによって変化させる構成を付加させることもできる。
【００５９】
以上の様に、本発明の第１の実施形態は、時間を単位とする販促ポイントがユーザの特定場所における所定の経過時間を計測して発行または消費させる時間ポイントであることを特徴としたが、該時間ポイントの発行または消費は、前述した設備系や施術系のサービス提供に係る特定場所に限定されず、例えば、ネット系のサービス事業者によって提供される特定操作、即ち、ネットゲームや音楽や映像、電子ブックなどの視聴などによっても実施され、本発明の第２の実施形態では、時間を単位とする販促ポイントがユーザの特定操作に関する所定時間を計測して発行または消費させる時間ポイントことを特徴とする。
【００６０】
なお、ここでは、前述した消費先にネット系のサービス事業者を加えた概要についてのみ説明しておく。
【００６１】
通常、この様なネット系のサービス事業者は、ゲームの開発コストや音楽・映像の調達コストが既に確定しているため、より多くの消費者が利用することによって収益が高まるので、その販促活動は非常に活発である。
【００６２】
例えば、前記ゲーム事業者の場合、新作ゲームの販促において、より多くの消費者にアピールするためマスメディアで広告したり、ポスターなどを広範囲に配布したり、大きなコストを掛けているところ、本発明による「時間を単位とする販促ポイントの流通方法及び流通管理システム」を採用すれば、該ゲーム事業者が時間ポイントの発行元や消費先として、既存ゲームをプレイしてくれているユーザに対し、一定のプレイ時間に応じて時間ポイントを発行したり、或いは、時間ポイントを保有するユーザに対し、一定の時間ポイントで新作ゲームを一定時間プレイさせたりすることが可能になり、販促コストが大幅に削減される。
【００６３】
この場合、ゲームのプレイ時間に応じた時間ポイントの発行は、例えば、本発明における前記ポイント流通センターの時間管理システムと該ゲーム事業者が運用する周知のゲーム・システムとをインターネットネットを介して接続することによって実現することができる。
【００６４】
具体的には、前記ゲーム事業者が、ゲームに参加するユーザのスマートフォン（携帯電話）やＰＣなどのクライアント装置に対してインターネットを介して供給するゲーム・アプリケーションに、例えば、前記ポイント管理センターが公開するポイント管理用の後述する周知のＷｅｂ−ＡＰＩ（アプリケーション・プログラミング・インターフェイス）を付加することにより、ユーザの該ゲーム・アプリケーションによるゲーム操作情報が該ポイント管理センターの時間管理システムに送信される様に構成できるので、例えば、該時間管理システムにおいて、該送信されたユーザのゲーム操作情報に基づき、ユーザデータベースとポイント管理データベースから該ユーザの属性情報や時間ポイントの残高情報を含む前記時間ポイント情報が抽出されると共に、該ゲーム事業者によって予め設定された前記「販促時間」の売価基準に対する時間ポイントの必要数量、即ち、ゲーム参加時間ポイント売価が算出され、該時間ポイント情報と共に該ゲーム参加時間ポイント売価が該ユーザのクライアント装置と該ゲーム・システムに送信され、該クライアント装置おいて、該通知された時間ポイント情報とゲーム参加時間ポイント売価が表示され、例えば「ゲーム参加ボタン」がクリックされることによって、該クライアント装置から該時間管理システムにゲーム参加を示す承諾情報が送信されると、該時間管理システムにおいて、該送信された承諾情報に基づく該ゲーム参加時間ポイント売価に相当する時間ポイント数の減算処理が行われると共に、該減算処理による結果情報が該ゲーム・システムに送信されると、該ゲーム・システムにおいて、該送信された減算処理による結果情報に基づき、該クライアント装置によるゲーム参加が該「販促時間」だけ許可されるように構成することができる。
【００６５】
また、例えば、前記音楽・映像配信事業者の場合、新作音楽や新作映像（映画など）の販促において、より多くの消費者にアピールするためマスメディアで広告したり、ポスターなどを広範囲に配布したり、大きなコストを掛けているところ、本発明による「時間を単位とする販促ポイントの流通方法及び流通管理システム」を採用すれば、該音楽・映像配信事業者が発行元や消費先として、既存の音楽や映像を視聴してくれているユーザに対し、一定の視聴時間に応じて時間ポイントを発行したり、或いは、時間ポイントを保有するユーザに対し、一定の時間ポイントで新作の音楽や映像を一定時間視聴させたりすることが可能になり、販促コストが大幅に削減される。
【００６６】
この場合、音楽や映像の視聴時間に応じた時間ポイントの発行は、例えば、本発明における前記ポイント流通センターの時間管理システムと該音楽・映像配信事業者が運用する、周知の音楽・映像配信システムとをインターネットを介して接続することによって実現することができる。
【００６７】
なお、上記した周知の音楽・映像配信システムとしては、Ａｐｐｌｅ社のｉＴｕｎｅが有名であり、また、この様な配信システムによって配信されるものは、音楽や映像に限定されるものではなく、周知の電子ブックなども含まれ、Ａｍａｚｏｎ社のタブレット端末Ｋｉｎｄｌｅは、電子ブックのユーザ端末として有名である。
【００６８】
具体的には、前記音楽・映像配信事業者が、音楽や映像を視聴するユーザのスマートフォン（携帯電話）やＰＣなどのクライアント装置に対してインターネットを介して供給する音楽・映像配信アプリケーションに、例えば、前述した様にポイント管理センターが公開するポイント管理用のＷｅｂ−ＡＰＩを付加することにより、ユーザの該音楽・映像配信による視聴操作情報が該ポイント管理センターの時間管理システムに送信される様に構成できるので、例えば、該時間管理システムにおいて、該送信された視聴操作情報に基づき、例えばユーザデータベースとポイント管理データベースから該ユーザの属性情報や時間ポイントの残高情報を含む前記時間ポイント情報が抽出されると共に、該音楽・映像配信事業者によって予め設定された前記「販促時間」の売価基準に対する時間ポイントの必要数量、即ち、音楽・映像視聴時間ポイント売価が算出され、該時間ポイント情報と共に該音楽・映像視聴時間ポイント売価が該ユーザのクライアント装置と該音楽・映像配信システムに送信され、該クライアント装置おいて、該通知された時間ポイント情報と音楽・映像視聴時間ポイント売価が表示され、例えば「視聴開始ボタン」がクリックされることによって、該クライアント装置から該時間管理システムに視聴開始を示す承諾情報が送信されると、該時間管理システムにおいて、該送信された承諾情報に基づく該音楽・映像視聴時間ポイント売価に相当する時間ポイント数の減算処理が行われると共に、該減算処理の結果情報が該音楽・映像配信システムに送信されると、該音楽・映像配信システムにおいて、該送信された減算処理の結果情報に基づき、該クライアント装置による音楽や映像の視聴が該「販促時間」だけ許可されるように構成することができる。
【００６９】
以上の発明の構成により、ユーザにとっては、加盟店（一般商店や銀行、役所などの公共機関が対象）での買い物やサービス利用、諸手続きにおいて、その本来目的に要する時間以外に供給した「待ち時間」（「不快な時間」）を時間ポイントとして貯めておき、これを提携店（設備系や施術系、ネット系のサービス事業者が対象）が提供する「販促時間」（「快適な時間」）に交換（消費）することが可能となり、かつ、加盟店（時間ポイントの発行拠点）においては、自らは提供し得ない商材やサービスを充足させることが、また提携店（時間ポイントの消費拠点）においては、コストを掛けず販促機会を獲得することが、該時間ポイントを介して相互補完される、低コストで高い顧客満足が期待できる販促用の時間ポイント流通システムを実現することができる。
【実施例１】
【００７０】
以下、図面を参照しながら、本発明の最適な実施形態について詳細に説明する。
本発明の第１の実施形態は、時間を単位とする販促ポイントが、ユーザの特定場所における所定の経過時間を計測して発行または消費される時間ポイントであることを特徴とする。
【００７１】
本発明の第１の実施形態では、ユーザは、買い物やサービス利用、諸手続きなどのため、加盟店に赴いた際、ユーザが保有するクライアント装置（時間を単位とする時間ポイントの発行操作及び消費操作に関するアプリケーションがインストールされたスマートフォンなどの携帯端末）によって、例えば、該加盟店に設置された位置通知装置が検知されてから非検知となるまでの「時間」が計測され、該計測された「時間」に応じた時間ポイントを獲得して貯めておくことができ、その後、ユーザは、該獲得して貯めた時間ポイントを、例えば、設備系や施術系、ネット系の提携店が提供する販促サービスを受ける「時間」に交換することができる。
【００７２】
ここで本発明に関連する大きな特徴として、加盟店において計測された「時間」に基づき時間ポイントを発行するための発行条件と、提携店において販促サービスを受ける「時間」と該時間ポイントを交換するための消費条件について、時間管理システムによって、種々の設定要素から算出させることができる。
【００７３】
つまり、加盟店においては、顧客が来店した時刻から商品購入やサービスの受付が開始された時刻までの「混雑待機時間」や、顧客が商品やサービスを注文した時刻から該商品やサービスが提供された時刻までの「供給待機時間」、或いは、顧客が来店した時刻から退店した時刻までの滞在時間から該店舗における商品販売やサービス提供に係る通常の所要時間を差し引いた「超過待機時間」など、計測対象の時間に応じて発行される時間ポイント数について、例えば、該加盟店における計測対象であるユーザの「待機時間」に対する改善の優先度を「混雑」：「給仕」：「超過」＝１：３：２とする相対比によって算出させることができたり、また、提携店においては、新サービスへの顧客誘導に係る「お試し販促時間」や、サービスの目標達成に係る「販売強化販促時間」、或いは、店舗リニューアルなどに係る「新装開店販促時間」など、販促対象の時間に応じて消費を受け付ける時間ポイント数について、例えば、該提携店における販促対象であるユーザの「来店及び利用」に対する謝意の反映度を「お試し」：「販売強化」：「新装開店」＝２：１：３とする相対比と該販促対象となるサービスの通常売価とに基づいて算出させたりすることができる。
【００７４】
図１は、本発明によって実現される「時間を単位とする販促ポイントの流通方法及び流通管理システム」の第１の実施形態に関する構成図であり、該図１に記載のフロー記号（Ａ）〜（Ｄ）が、本発明における時間ポイントの発行方法に関する構成を示し、またフロー記号（Ｅ）〜（Ｈ）が、本発明における時間ポイントの消費方法に関する構成を示している。
【００７５】
先ず、図１に記載のフロー記号（Ａ）〜（Ｄ）に係る詳細図を使って、本発明における発行方法に関する構成について詳細に述べる。
【００７６】
［ユーザによる所定の発行操作］
図２は、時間ポイントの発行方法に関する構成図であるところ、ユーザによる所定の発行操作については、加盟店１３００に設置したＢｌｕｅｔｏｏｔｈ規格の電波を発信する周知の電波発信器を備えた位置通知装置２３２０を起動しておき、Ｂｌｕｅｔｏｏｔｈ規格の電波を検知する周知の電波検知器２２１１を備えたスマートフォン（携帯電話）やタブレットＰＣなどの携帯端末であって該電波検知器２２１１の電波受信状態を監視しながら時間計測を行う受信計測プログラム５２１０及び時間ポイントの発行管理を行うためのポイント発行プログラム５２３０や時間ポイントの消費管理を行うためのポイント消費プログラム５２４０（図３）からなる専用アプリ４２１０がインストールされたクライアント装置２２１０を保有するユーザ１２００が該専用アプリ４２１０を起動して該加盟店１３００に来店すると、該クライアント装置２２１０に備えられた電波検知器２２１１によって該位置通知装置２３２０から発信されるＢｌｕｅｔｏｏｔｈ規格の電波が検知され、該専用アプリ４２１０によって該検知された位置通知装置２３２０の識別情報２３２１が取得されると共に、該取得された識別情報２３２１と該専用アプリ４２１０の識別情報４２１１が、該専用アプリ４２１０によって、インターネット１９００を介して、ポイント管理センター１１００の時間管理システム４１１０に送信される。
【００７７】
なお、上記の専用アプリ４２１０を構成する各プログラムは、周知のＨＴＭＬ言語とＪａｖａＳｃｒｉｐｔやＰＨＰ、Ｐｅｒｌ、Ｊａｖａ、ＣやＣ++などのプログラム言語によって開発することができる。
【００７８】
また、上記専用アプリ４２１０の識別情報４２１１は、該専用アプリ４２１０を利用するユーザを特定するための固有情報であって、周知のＵＤＩＤやＩＭＥＩ、或いは、また電話番号などに基づき、以下の様にして生成される。
【００７９】
図４で示す様に、先ず、ユーザが、保有するスマートフォン（携帯電話）やタブレットＰＣなどのクライアント装置に備えられた周知のＷｅｂブラウザなどによって、インターネット１９００を介して、前記ポイント管理センター１１１０の時間管理システム４１１０にアクセスすると、該時間管理システム４１１０を構成する認証処理プログラム５１１０が実行され、該実行により、ユーザの該クライアント装置にユーザ登録フォームが提供され、これに対し、ユーザが、必要な事項を入力したり選択するなどしてサブミット（データ投入）すると、該サブミットによって、例えば、図１５で示した、電話番号や個体識別番号などのユーザ基本データ７０１３とユーザ名や郵便番号、性別、年齢などのユーザ属性データ７０１４が、該認証処理プログラム５１１０によって取得される。
【００８０】
ここで、上記認証処理プログラム５１１０によって、例えば、該取得されたユーザ基本データ７０１３の電話番号と個体識別番号を構成要素とする前述の識別情報４２１１が生成され、例えば、該生成された該識別情報４２１１が上記専用アプリ４２１０の識別情報記録コードに書き込まれると共に、該該識別情報４２１１と該取得されたユーザ基本データやユーザ属性データ７０１４が、該図１５で示したユーザ管理データベースのレコード・レイアウトに従って、該ユーザ管理データベース３０１０に記録され、更に、該専用アプリ４２１０が、インターネット１９００を介して、ユーザのクライアント装置にダウンロードされる。
【００８１】
この様にして、ユーザのクライアント装置２２１０にインストールされる上記専用アプリ４２１０に書き込まれた識別情報４２１１と上記ユーザ管理データベース３０１０に記録された上記ユーザ基本データ７０１４が関連付けられる。
【００８２】
ここで、図２で示す様に、前記時間管理システム４１１０は、通信制御装置２１０４とＷｅｂサーバ装置２１１０、アプリケーションサーバ装置２１２０及びデータベース管理サーバ装置２１３０からなるサーバ・システムであって、該時間管理システム４１１０において、前記位置通知装置２３２０の識別情報２３２１と前記専用アプリ４２１０の識別情報４２１１が受信されると、該時間管理システム４１１０を構成するアプリケーションサーバ装置２１２０の認証処理プログラム５１１０が実行され、該実行により、所定の位置通知装置照合処理、即ち、該時間管理システム４１１０のデータベース管理サーバ装置２１３０を用いて、該受信した位置通知装置２３２０の識別情報２３２１が、図２０で示す位置通知装置データベース３０６０に登録されているか照合される処理であって、例えば、該識別情報２３２１を検索キーとして、該位置通知装置データベース３０６０から該識別情報２３２１の位置通知装置２３２０が設置されている前記加盟店１３００の加盟店ＩＤ７０２１（図１６）に相当する設置先ＩＤ７０６２が検出されることによって、また、所定のユーザ照合処理、即ち、該データベース管理サーバ装置２１３０を用いて、該受信した専用アプリ４２１０の識別情報４２１１が、図１５で示したユーザ管理データベース３０１０に登録されているか照合される処理であって、例えば、該識別情報４２１１を検索キーとして、該ユーザ管理データベース３０１０から該ユーザ１２００のユーザＩＤ７０１１やユーザ属性データ７０１４などが検出されることによって、該識別情報４２１１と該識別情報２３２１を構成要素とする認証コード６５１０が生成されると共に、該アプリケーションサーバ装置２１２０の条件管理プログラム５１２０によって、該位置通知装置２３２０の識別情報２３２１に関する照合結果、即ち、所定の位置通知装置照合処理によって検出された該加盟店１３００の加盟店ＩＤ７０２１に相当する設置先ＩＤ７０６２を検索キーとして、後述の図１８で示す加盟店ガイドデータベース３０４０から該加盟店１３００によって設定された発行対象データ７０４２と発行条件パラメータ７０４３からなる案内ガイドデータ６０４１が抽出され、該発行対象データ７０４２に設定された対象時間データ８０４２と該発行条件パラメータ７０４３及び該生成された認証コード６５１０が、該時間管理システム４１１０から、インターネット１９００を介して、該クライアント装置２２１０に送信される。
【００８３】
なお、上記の発行条件パラメータ７０４３については、後述する。
【００８４】
［発行操作に関する時間計測処理］
上述した［ユーザによる所定の発行操作］に基づく時間計測処理については、図２で示す様に、前記クライアント装置２２１０において、前記対象時間データ８０４２と前記発行条件パラメータ７０４３及び前記認証コード６５１０が受信されると、前記専用アプリ４２１０によって、先ず、該対象時間データ８０４２と認証コード６５１０が該専用アプリ４２１０を構成する受信計測プログラム５２１０の計測パラメータにセットされて該受信計測プログラム５２１０が実行され、該実行により、該クライアント装置２２１０に備えられた電波検知器２２１１によって前記位置通知装置２３２０から発信されるＢｌｕｅｔｏｏｔｈ規格の電波が検知され続ける限り、時間が計測されると共に、該対象時間データ８０４２の計測開始時刻に関する設定、例えば、該受信計測プログラム５２１０の実行時刻を計測開始時刻とする設定に従い、該専用アプリ４２１０によって該実行時刻が計測開始時刻（Ｔs）として取得される。
【００８５】
ここで、図２で示す様に、上記受信計測プログラム５２１０の計測パラメータは、該計測パラメータにセットされた上記認証コード６５１０の構成要素である前記識別情報４２１１と前記識別情報２３２１にそれぞれ合致する前記クライアント装置２２１０と前記位置通知装置２３２０との間における通信を該受信計測プログラム５２１０が確立、維持するためのキー値を含むパラメータであって、該キー値は、例えば、Ｂｌｕｅｔｏｏｔｈ通信における周知のペアリング・キーやＷｉＦｉ通信における周知のＷＥＰキーなどに相当する。
【００８６】
次に、図２で示す様に、前記クライアント装置２２１０を保有する前記ユーザ１２００が前記加盟店１３００を退店し、該クライアント装置２２１０に備えられた電波検知器２２１１が前記位置通知装置２３２０から発信されるＢｌｕｅｔｏｏｔｈ規格の電波を誤差設定時間（Ｅr）以上検知しなくなり前記受信計測プログラム５２１０の実行が終了すると、前記対象販促データ８０４２の計測終了時刻に関する設定、例えば、該受信計測プログラム５２１０の実行が終了した時刻を計測終了時刻とする設定に従い、該受信計測プログラム５２１０の実行が終了した時刻が計測終了時刻（Ｔe）として取得される。
【００８７】
なお、上記の誤差設定時間（Ｅr）は、ユーザが加盟店や提携店を退店したことを判定するための時間であるところ、前記クライアント装置に備えられる周知の電波検知器によって検知される電波は、該電波を発信する発信器が設置される建物の構造や形状などによって干渉することがあるため、前記位置通知装置を加盟店や提携店に設置する際には、例えば、該位置通知装置を計測開始場所とする加盟店や提携店の入口付近に設置し、該クライアント装置によって該位置通知装置の電波が検知されない距離の複数位置から該クライアント装置を通常の歩行速度（４Km／h）で移動させて該クライアント装置によって該位置通知装置の電波が検知されるまでの経過時間（pＴ）を複数回に渡って測定したり、或いは、該位置通知装置を計測終了場所とする加盟店や提携店の出口付近に設置し、該クライアント装置によって該位置通知装置の電波が検知される距離の複数位置から該クライアント装置を通常の歩行速度（４Km／h）で移動させて該クライアント装置によって該位置通知装置の電波が検知されなくなるまでの経過時間（pＴ）を複数回に渡って測定するなどの方法によって、例えば、誤差設定時間（Ｅr）が、該経過時間（pＴ）の平均値（avrＴ）や最大値（maxＴ）に設定される。
【００８８】
［時間計測処理に基づく発行ポイントの算出処理］
上述の［発行操作に関する時間計測処理］に続き、図２で示す様に、前記受信計測プログラム５２１０の実行過程において前記専用アプリ４２１０によって取得された計測開始時刻（Ｔs）と計測終了時刻（Ｔe）が、該専用アプリ４２１０によって、該専用アプリ４２１０を構成するポイント発行プログラム５２３０の時刻設定パラメータ７２３１にセットされると共に、該ポイント発行プログラム５２３０が実行され、該実行により、該時刻設定パラメータ７２３１と前記発行条件パラメータ７０４３に基づく時間ポイントの発行数が算出される。
【００８９】
ここで、上記の時刻設定パラメータ７２３１は、計測開始時刻（Ｔs）が代入される開始時刻フィールドと計測終了時刻（Ｔe）が代入される終了時刻フィールドや誤差設定時間（Ｅr）が代入される誤差時間フィールドなどからなるパラメータであって、また発行条件パラメータ７０４３は、図１８で示した様に、前記ポイント管理センター１１００によって定められる基本レートフィールドと前記加盟店１３００によって任意に設定される設定レートフィールドや調整時間フィールドからなり、例えば、該基本レートフィールドには、実質計測時間（Ｓt）の単位時間１分に対して時間ポイントを１ＴＰ（ＴＰは時間ポイントの単位）発行することを指示する基本レート（Ｒs）として「１」が代入され、また、該設定レートフィールドには、該加盟店１３００が独自に時間ポイントを発行する場合の設定レート（Ｒn）が代入され、該調整時間フィールドには、例えば、通常のサービス供給や施術等に要する所要時間を超過する時間を対象に時間ポイントを提供する場合、該実質計測時間（Ｓt）から差し引く該所要時間が調整時間（Ｃt）として代入される。
【００９０】
以上から、上記のポイント発行プログラム５２３０によって算出される時間ポイントの発行数（Ｅp）は、例えば、上記の実質計測時間（Ｓt）について計測開始時刻（Ｔs）と計測終了時刻（Ｔe）及び誤差設定時間（Ｅr）に基づく数式｛Ｓt＝（ＴeーＴs−Ｅr）｝によって定めると、該時刻設定パラメータ７２３１と該発行条件パラメータ７０４３の基本レートフィールドに代入される基本レート（Ｒs）と調整時間フィールドに代入される設定時間（Ｃt）に基づき、数式｛Ｅp＝（Ｓt−Ｃt）×Ｒs｝によって算出することができる。
【００９１】
［時間ポイントの発行履歴データ管理処理］
図２で示す様に、前記クライアント装置２２１０において、前記専用アプリ４２１０を構成するポイント発行プログラム５２３０の実行が終了すると、該専用アプリ４２１０によって、前記認証コード６５１０と前記算出された時間ポイントの発行数が、インターネット１９００を介して、前記ポイント管理センター１１００の時間管理システム４１１０に送信され、これらを該時間管理システム４１１０が受信すると、該時間管理システム４１１０の前記認証処理プログラム５１１０が実行され、該実行により、所定の認証コード照合処理、即ち、該時間管理システム４１１０のデータベース管理サーバ装置２１３０を用いて、該受信した認証コード６５１０の構成要素である前記位置通知装置２３２０の識別情報２３２１と前記専用アプリ４２１０の識別情報４２１１が、それぞれ図２０で示した位置通知装置データベース３０６０と図１５で示したユーザ管理データベース３０１０に登録されているか照合される処理であって、例えば、該識別情報２３２１を検索キーとして、該位置通知装置データベース３０６０から該識別情報２３２１の位置通知装置２３２０が設置されている前記加盟店１３００の加盟店ＩＤ７０２１（図１６）に相当する設置先ＩＤ７０６２が検出されると共に、該識別情報４２１１を検索キーとして、該ユーザ管理データベース３０１０から該ユーザ１２００のユーザＩＤ７０１１やユーザ属性データ７０１４などが検出されることによって、該時間管理システム４１１０を構成する前記アプリケーションサーバ装置２１２０のポイント管理プログラム５１３０が実行され、該実行により、該照合された位置通知装置２３２０の識別情報２３２１と専用アプリ４２１０の識別情報４２１１及び該受信した時間ポイントの発行数からなる時間ポイントの「発行」に対応する履歴データが、図２１に示したポイント管理データベースのレコード・レイアウトに従い、前記データベース管理サーバ装置２１３０を用いて、該ポイント管理データベース３０７０に記録される。
【００９２】
以上の様にして、加盟店における顧客の「待機時間」、例えば、店舗に来店した時間から商品購入やサービスの受付が開始された時間までの「混雑待機時間」や、店舗において商品やサービスを注文した時間から該商品やサービスが提供された時間までの「供給待機時間」、或いは店舗に来店した時間から退店した時間までの滞在時間から該店舗における商品販売やサービス提供に係る通常の所要時間を差し引いた「超過待機時間」などに応じて、時間を単位とする販促ポイント、即ち、時間ポイントが提供される。
【００９３】
当然ながら、加盟店によるこの様なサービスは、ユーザに対し、効率良く告知されなければならないので、上述した本発明の構成には、ユーザのクライアント装置において「加盟店案内ガイド」が提供（表示）される構成が付加される。
【００９４】
［「加盟店案内ガイド」の登録処理］
具体的には、図５の概要図で示す様に、加盟店１３００のユーザが、Ｗｅｂブラウザを備えたＰＣなどのクライアント装置２３１０によって、インターネット１９００を介して、前記ポイント管理センター１１００のＷｅｂサーバ装置２１１０によって公開されている「加盟店案内ガイド」に関するＷｅｂページにアクセスすると、Ｗｅｂブラウザにおいて加盟店ログインフォームが表示され、該加盟店ログインフォームに加盟店ＩＤとパスワードを入力してサブミット（データ投入）すると、該サブミットされた加盟店ＩＤとパスワードがポイント管理センター１１００の時間管理システム４１１０によって取得されると共に、該時間管理システム４１１０を構成する前記アプリケーションサーバ装置２１２０の認証処理プログラム５１１０が実行され、該実行により、所定のログイン処理が行われる。
【００９５】
この所定のログイン処理において、該取得された加盟店ＩＤとパスワードが上記ポイント管理センター１１００の加盟店管理データベース３０２０（図１６）に登録されていることが照合され、該取得された加盟店ＩＤに対応する加盟店ＩＤ７０２１が抽出されると、ログインが成立して、上記クライアント装置２３１０のＷｅｂブラウザにおいて案内ガイド設定フォーム５３８１が提供（表示）され、該案内ガイド設定フォーム５３８１に対する以下の様な所定のガイド設定操作を経て、該加盟店１３００の案内ガイドデータ６０４１が構成されると共に、該ポイント管理センター１１１０の前記図１８で示した加盟店ガイドデータベース３０４０に記録される。
【００９６】
この所定のガイド設定操作は、加盟店１３００のユーザが、上記案内ガイド設定フォーム５３８１の手順に従って、ユーザ１２００に発行される時間ポイントに関して案内ガイドを設定すると、該設定された案内ガイドが案内ガイドデータ６０４１（図１８）に構成されて上記加盟店ガイドデータベース３０４０に記録される操作であって、先ず、該案内ガイド設定フォーム５３８１の発行対象設定フィールドにおいて、例えば、時間ポイントがユーザ１２００に発行される対象時間として、前述の「混雑待機時間」や「供給待機時間」、「超過待機時間」などに関する項目を選択したり、タイトルや説明文などをテキスト入力すると共に、上記のクライアント装置２３１０に備えられたローカルディスクやメモリなどに準備した案内ガイド用の画像や動画などを選択し、また、該案内ガイド設定フォーム５３８１の発行条件設定フィールドにおいて、該対象時間に対して発行される時間ポイントの発行数、即ち、前述の［時間計測処理に基づく発行ポイントの算出処理］で説明した、計測時間の単位時間１分に対して発行される時間ポイントの発行数について、基本レート（Ｒs）を選択したり、該加盟店１３００が独自に時間ポイントを発行する場合の設定レート（Ｒn）を入力し、更に、例えば、通常のサービス供給や施術等に要する所要時間を超過する時間を対象に時間ポイントを提供する場合、該実質計測時間（Ｓt）から差し引く該所要時間の調整時間（Ｃt）を入力してサブミット（データ投入）すると、該案内ガイド設定フォーム５３８１の発行対象設定フィールドや発行条件設定フィールドにおいて入力または選択されて設定された、テキストや画像、動画などからなる加盟店１３００の案内ガイドに関するデータが、上記時間管理システム４１１０において取得されると共に、該時間管理システム４１１０を構成するアプリケーションサーバ装置２１１０の条件管理プログラム５１２０が実行され、該実行により、該サブミットによって取得されたデータが、図１８で示した加盟店ガイドデータベースのレコード・レイアウトに従い、テキストや画像、動画などからなり発行対象ＩＤ８０４１を含む発行対象データ７０４２と、対象時間に応じて発行される時間ポイントに関する基本レートと設定レートや調整時間、フラグコードなどからなる発行条件パラメータ７０４３、及び上記加盟店ＩＤ７０２１と該加盟店１３００の業種コード７０２２からなる案内ガイドＩＤ７０４１に基づく案内ガイドデータ６０４１として構成されると共に、前記データベース管理サーバ装置２１３０を用いて、該案内ガイドデータ６０４１が該加盟店ガイドデータベース３０４０に記録され、「加盟店案内ガイド」の登録が完了する。
【００９７】
なお、上記によって案内ガイドデータ６０４１を登録した加盟店１３００に設置される位置通知装置の識別情報については、ポイント管理センター１１００によって任意に設定され、該設定された識別情報と該加盟店１３００の加盟店ＩＤ７０２１は、図２０で示した位置通知装置データベースのレコード・レイアウトに従って、識別情報７０６１と設置先ＩＤ７０６２として、該位置通知装置データベース３０６０に記録される。
【００９８】
［「加盟店案内ガイド」の提供方法］
上述の様にして登録された「加盟店案内ガイド」は、図５で示す様に、以下の様にして、ユーザ１２００に提供される。
【００９９】
ユーザ１２００が、前述したクライアント装置２２１０の専用アプリ４２１０を起動して、該クライアント装置２２１０が、インターネット１９００を介して、前記ポイント管理センター１１００の時間管理システム４１１０に接続されると、該クライアント装置２２１０においてユーザログインフォームが表示され、該ユーザログインフォームにユーザＩＤ７０１１とパスワードを入力してサブミット（データ投入）すると、該サブミットされたユーザＩＤ７０１１とパスワードがポイント管理センター１１１０の時間管理システム４１１０によって取得され、所定のログイン処理が行われる。
【０１００】
この所定のログイン処理において、該取得されたユーザＩＤ７０１１とパスワードが該ポイント管理センター１１１０のユーザ管理データベース３０１０（図１５）に登録されていることが照合されると、ログインが成立して、上記クライアント装置２２１０の表示画面に「サービスメニュー」を含む初期画面が表示される。
【０１０１】
この「サービスメニュー」には、時間ポイントが発行される加盟店リストや加盟店ごとの案内ガイドが提供される「加盟店案内ガイド」なる選択項目があり、先ず、ユーザ１２００によって該「加盟店案内ガイド」が選択されると、該選択情報が上記時間管理システム４１１０において取得されると共に、該時間管理システム４１１０を構成するアプリケーションサーバ装置２１２０の条件管理プログラム５１２０が実行され、該実行により、図１８で示した加盟店ガイドデータベース３０４０から、前記案内ガイドＩＤ７０４１と前記発行対象データ７０４２が加盟店ごとに抽出されると共に、該抽出された加盟店ごとの該案内ガイドＩＤ７０４１と該発行対象データ７０４２が含まれた加盟店リストが生成され、該生成された加盟店リストが、インターネット１９００を介して、該クライアント装置２２１０に送信されると、上記専用アプリ４２１０によって、該送信された加盟店リストが取得されると共に、該クライアント装置２２１０の表示画面に表示される。
【０１０２】
ここで、ユーザ１２００は、該送信された加盟店リストに含まれた上記発行対象データ７０４２のテキストや画像データによる説明文や画像を確認することができ、例えば、該加盟店リストから好みの加盟店１３００を選択すると、該加盟店１３００の選択情報に含まれた案内ガイドＩＤ７０４１が上記時間管理システム４１１０において取得されると共に、上記条件管理プログラム５１２０が実行され、該実行により、上記加盟店ガイドデータベース３０４０から、該取得された案内ガイドＩＤ７０４１に基づき、該加盟店１３００の前記案内ガイドデータ６０４１が抽出され、該抽出された案内ガイドデータ６０４１が、インターネット１９００を介して、該クライアント装置２２１０に送信されると、上記専用アプリ４２１０によって、該送信された加盟店１３００の案内ガイドデータ６０４１が取得されると共に、該クライアント装置２２１０の表示画面に表示され、ユーザに、該加盟店１３００の店舗情報や時間ポイントの発行条件などに関するテキストや画像、動画などからなる「加盟店案内ガイド」が提供される。
【０１０３】
この様に「加盟店案内ガイド」の登録処理と提供方法によって、加盟店における時間ポイントの発行に関するサービスが効率良くユーザに告知される。
【０１０４】
次に、図１に記載のフロー記号（Ｅ）〜（Ｈ）に係る詳細図を使って、本発明における消費方法に関する構成について詳細に述べる。
【０１０５】
［ユーザによる所定の消費操作］
図３は、前記時間ポイントの消費方法に関する構成図であるところ、ユーザによる所定の消費操作については、提携店１４００に設置したＢｌｕｅｔｏｏｔｈ規格の電波を発信する周知の電波発信器を備えた位置通知装置２４２０を起動しておき、Ｂｌｕｅｔｏｏｔｈ規格の電波を検知する周知の電波検知器２２１１を備えたスマートフォン（携帯電話）やタブレットＰＣなどの携帯端末であって該電波検知器２２１１の電波受信状態を監視しながら時間計測を行う受信計測プログラム５２１０と時間ポイントの消費管理を行うためのポイント消費プログラム５２４０や時間ポイントの発行管理を行うためのポイント発行プログラム５２３０（図２）からなる専用アプリ４２１０がインストールされたクライアント装置２２１０を保有するユーザ１２００が該専用アプリ４２１０を起動して該提携店１４００に来店すると、該クライアント装置２２１０に備えられた電波検知器２２１１によって該位置通知装置２４２０から発信されるＢｌｕｅｔｏｏｔｈ規格の電波が検知され、該専用アプリ４２１０によって該検知された位置通知装置２４２０の識別情報２４２１が取得されると共に、該取得された識別情報２４２１と該専用アプリ４２１０の識別情報４２１１が、該専用アプリ４２１０によって、インターネット１９００を介して、ポイント管理センター１１００の時間管理システム４１１０に送信される。
【０１０６】
ここで、図３で示す様に、前記時間管理システム４１１０において、前記位置通知装置２４２０の識別情報２４２１と前記専用アプリ４２１０の識別情報４２１１が受信されると、該時間管理システム４１１０を構成するアプリケーションサーバ装置２１２０の認証処理プログラム５１１０が実行され、該実行により、所定の位置通知装置照合処理、即ち、該時間管理システム４１１０のデータベース管理サーバ装置２１３０を用いて、該受信した位置通知装置２４２０の識別情報２４２１が、図２０で示す位置通知装置データベース３０６０に登録されているか照合される処理であって、例えば、該識別情報２４２１を検索キーとして、該位置通知装置データベース３０６０から該識別情報２４２１の位置通知装置２４２０が設置されている前記提携店１４００の提携店ＩＤ７０３１（図１７）に相当する設置先ＩＤ７０６２が検出されることによって、また、所定のユーザ照合処理、即ち、該データベース管理サーバ装置２１３０を用いて、該受信した専用アプリ４２１０の識別情報４２１１が、図１５で示したユーザ管理データベース３０１０に登録されているか照合される処理であって、例えば、該識別情報４２１１を検索キーとして、該ユーザ管理データベース３０１０から該ユーザ１２００のユーザＩＤ７０１１やユーザ属性データ７０１４などが検出されることによって、該識別情報４２１１と該識別情報２４２１を構成要素とする認証コード６５１０が生成されると共に、該アプリケーションサーバ装置２１２０の条件管理プログラム５１２０によって、該位置通知装置２４２０の識別情報２４２１に関する照合結果、即ち、所定の位置通知装置照合処理によって検出された該提携店１４００の提携店ＩＤ７０３１に相当する設置先ＩＤ７０６２を検索キーとして、後述の図１９で示す提携店ガイドデータベース３０５０から該提携店１４００によって設定された販促企画データ７０５２と消費条件パラメータ７０５３からなる利用ガイドデータ６０５１が抽出され、該販促企画データ７０５２に設定された対象販促データ８０５２と該消費条件パラメータ７０５３及び該生成された認証コード６５１０が、該時間管理システム４１１０から、インターネット１９００を介して、該クライアント装置２２１０に送信される。
【０１０７】
なお、上記の消費条件パラメータ７０５３については後述する。
【０１０８】
［消費操作に関する時間計測処理］
上述した［ユーザによる所定の消費操作］に基づく時間計測処理については、図３で示す様に、前記クライアント装置２２１０において、前記対象販促データ８０５２と前記消費条件パラメータ７０５３及び前記認証コード６５１０が受信されると、前記専用アプリ４２１０によって、先ず、該対象販促データ８０５２と認証コード６５１０が該専用アプリ４２１０を構成する受信計測プログラム５２１０の計測パラメータにセットされて該受信計測プログラム５２１０が実行され、該実行により、該クライアント装置２２１０に備えられた電波検知器２２１１によって前記位置通知装置２４２０から発信されるＢｌｕｅｔｏｏｔｈ規格の電波が検知され続ける限り、時間が計測されると共に、該対象販促データ８０５２の計測開始時刻に関する設定、例えば、該受信計測プログラム５２１０の実行時刻を計測開始時刻とする設定に従い、該専用アプリ４２１０によって該実行時刻が計測開始時刻（Ｔs）として取得される。
【０１０９】
なお、上記計測パラメータについては、前述の通りである。
【０１１０】
次に、図３で示す様に、前記クライアント装置２２１０を保有する前記ユーザ１２００が前記提携店１４００を退店し、該クライアント装置２２１０に備えられた電波検知器２２１１が前記位置通知装置２４２０から発信されるＢｌｕｅｔｏｏｔｈ規格の電波を誤差設定時間（Ｅr）以上検知しなくなり前記受信計測プログラム５２１０の実行が終了すると、該対象販促データ８０５２の計測終了時刻に関する設定、例えば、該受信計測プログラム５２１０の実行が終了した時刻を計測終了時刻とする設定に従い、該受信計測プログラム５２１０の実行が終了した時刻が計測終了時刻（Ｔe）として取得される。
【０１１１】
［時間計測処理に基づく消費ポイントの算出処理］
上述の［消費操作に関する時間計測処理］に続き、図３で示す様に、前記受信計測プログラム５２１０の実行過程において前記専用アプリ４２１０によって取得された計測開始時刻（Ｔs）と計測終了時刻（Ｔe）が、該専用アプリ４２１０によって、該専用アプリ４２１０を構成するポイント消費プログラム５２４０の時刻設定パラメータ７２４１にセットされると共に、該ポイント消費プログラム５２４０が実行され、該実行により、前記時刻設定パラメータ７２４１と前記消費条件パラメータ７０５３に基づく時間ポイントの消費数が算出される。
【０１１２】
ここで、上記の時刻設定パラメータ７２４１は、計測開始時刻（Ｔs）が代入される開始時刻フィールドと計測終了時刻（Ｔe）が代入される終了時刻フィールドや誤差設定時間（Ｅr）が代入される誤差時間フィールドなどからなるパラメータであって、また消費条件パラメータ７０５３は、後述する［「提携店利用ガイド」の登録処理］で説明する利用ガイド設定フォームによって前記提携店１４００が任意に設定する、販売時間フィールドと販売価格フィールド及び販促時間フィールドからなり、例えば、該販売時間フィールドには、該提携店１４００において販売する通常サービスの販売時間（Ｔn）が設定され、該販売価格フィールドには、該販売時間（Ｔn）の販売価格（Ｐs）が設定され、該販促時間フィールドには、該販売時間（Ｔn）と販売価格（Ｐs）に基づくポイント売価（円／分）によってユーザに提供する販促時間（Ｔp）が設定される。
【０１１３】
以上から、上記のポイント消費プログラム５２４０によって算出される時間ポイントの消費数（Ｃp）は、例えば、上記の計測開始時刻（Ｔs）と計測終了時刻（Ｔe）及び誤差設定時間（Ｅr）に基づく実質計測時間（Ｓt）を数式｛Ｓt＝（ＴeーＴs−Ｅr）｝によって定めれば、上記時刻設定パラメータ７２４１と上記消費条件パラメータ７０５３の上記各フィールドに設定される販売時間（Ｔn）と販売価格（Ｐs）及び販促時間（Ｔp）に基づき、数式｛Ｃp＝（Ｐs÷Ｔn）×Ｔp｝によって算出することができる。
【０１１４】
［時間ポイントの消費履歴データ管理処理］
図３で示す様に、前記クライアント装置２２１０において、前記専用アプリ４２１０を構成するポイント消費プログラム５２４０の実行が終了すると、該専用アプリ４２１０によって、前記認証コード６５１０と前記算出された時間ポイントの消費数が、インターネット１９００を介して、前記ポイント管理センター１１００の時間管理システム４１１０に送信され、これらを該時間管理システム４１１０が受信すると、該時間管理システム４１１０の前記認証処理プログラム５１１０が実行され、該実行により、所定の認証コード照合処理、即ち、該時間管理システム４１１０のデータベース管理サーバ装置２１３０を用いて、該受信した認証コード６５１０の構成要素である前記位置通知装置２４２０の識別情報２４２１と前記専用アプリ４２１０の識別情報４２１１が、それぞれ図２０で示した位置通知装置データベース３０６０と図１５で示したユーザ管理データベース３０１０に登録されているか照合される処理であって、例えば、該識別情報２４２１を検索キーとして、該位置通知装置データベース３０６０から該識別情報２４２１の位置通知装置２４２０が設置されている前記提携店１４００の提携店ＩＤ７０３１（図１７）に相当する設置先ＩＤ７０６２が検出されると共に、該識別情報４２１１を検索キーとして、該ユーザ管理データベース３０１０から該ユーザ１２００のユーザＩＤ７０１１やユーザ属性データ７０１４などが検出されることによって、該時間管理システム４１１０を構成する前記アプリケーションサーバ装置２１２０のポイント管理プログラム５１３０が実行され、該実行により、該照合された位置通知装置２４２０の識別情報２４２１と専用アプリ４２１０の識別情報４２１１及び該受信した時間ポイントの消費数からなる、時間ポイントの「消費」に対応する履歴データが、図２１に示したポイント管理データベースのレコード・レイアウトに従い、前記データベース管理サーバ装置２１３０を用いて、該ポイント管理データベース３０７０に記録される。
【０１１５】
以上の様にして、提携店における顧客に対する「販促時間」、例えば、新サービスへの顧客誘導に係る「お試し販促時間」や、サービスの目標達成に係る「販売強化販促時間」、或いは、店舗リニューアルなどに係る「新装開店販促時間」などに応じて、時間ポイントを消費できるサービスを実現することが可能になる。
【０１１６】
当然ながら、提携店によるこの様な販促企画は、ユーザに対し、効率良く告知されなければならないので、上述した本発明の構成には、ユーザのクライアント装置において「提携店利用ガイド」が提供（表示）される構成が付加される。
【０１１７】
［「提携店利用ガイド」の登録処理］
具体的には、図６の概要図で示す様に、提携店１４００のユーザが、Ｗｅｂブラウザを備えたＰＣなどのクライアント装置２４１０によって、インターネット１９００を介して、前記ポイント管理センター１１００のＷｅｂサーバ装置２１１０によって公開されている「提携店利用ガイド」に関するＷｅｂページにアクセスすると、Ｗｅｂブラウザにおいて提携店ログインフォームが表示され、該提携店ログインフォームに提携店ＩＤとパスワードを入力してサブミット（データ投入）すると、該サブミットされた提携店ＩＤとパスワードがポイント管理センター１１００の時間管理システム４１１０によって取得されると共に、該時間管理システム４１１０を構成する前記アプリケーションサーバ装置２１２０の認証処理プログラム５１１０が実行され、該実行により、所定のログイン処理が行われる。
【０１１８】
この所定のログイン処理において、該取得された提携店ＩＤとパスワードが上記ポイント管理センター１１００の提携店管理データベース３０３０（図１７）に登録されていることが照合され、該取得された提携店ＩＤに対応する提携店ＩＤ７０３１が抽出されると、ログインが成立して、上記クライアント装置２４１０のＷｅｂブラウザにおいて利用ガイド設定フォーム５４８１が提供（表示）され、該利用ガイド設定フォーム５４８１に対する以下の様な所定のガイド設定操作を経て、該提携店１４００の利用ガイドデータ６０５１が構成されると共に、上記ポイント管理センター１１１０の図１９で示した提携店ガイドデータベース３０４０に記録される。
【０１１９】
この所定のガイド設定操作は、提携店１４００のユーザが、上記利用ガイド設定フォーム５４８１の手順に従って、ユーザ１２００が時間ポイントを利用（消費）できる販促企画に関して利用ガイドを設定すると、該設定された利用ガイドが利用ガイドデータ６０５１に構成されて上記提携店ガイドデータベース３０４０に記録される操作であって、先ず、該利用ガイド設定フォーム５４８１の販促企画設定フィールドにおいて、例えば、ユーザ１２００が時間ポイントを利用（消費）できる対象時間として、前述の「お試し販促時間」や「販売強化販促時間」、「新装開店販促時間」などに関する項目を選択したり、タイトルや説明文などをテキスト入力すると共に、上記のクライアント装置２４１０に備えられたローカルディスクやメモリなどに準備した利用ガイド用の画像や動画などを選択し、また、該利用ガイド設定フォーム５４８１の消費条件設定フィールドにおいて、該販促企画によって消費される時間ポイントの消費数、即ち、前述の［時間計測処理に基づく消費ポイントの算出処理］で説明した、該提携店１４００において販売する通常サービスの販売時間（Ｔn）を入力し、また、該販売時間（Ｔn）の販売価格（Ｐs）を入力し、更に、該販売時間（Ｔn）と販売価格（Ｐs）に基づくポイント売価（円／分）によってユーザに提供する販促時間（Ｔp）を入力してサブミット（データ投入）すると、該利用ガイド設定フォーム５４８１の販促企画設定フィールドや消費条件設定フィールドにおいて入力または選択されて設定された、テキストや画像、動画などからなる提携店１３００の利用ガイドに関するデータが、上記時間管理システム４１１０において取得されると共に、該時間管理システム４１１０を構成するアプリケーションサーバ装置２１１０の条件管理プログラム５１２０が実行され、該実行により、該サブミットによって取得されたデータが、上記図１９で示した提携店ガイドデータベースのレコード・レイアウトに従い、テキストや画像、動画などからなり販促企画ＩＤ８０５１を含む消費対象データ７０４２と、該提携店１４００において販売される通常サービスの販売時間やその販売価格と時間計測に関するフラグコードなどからなる消費条件パラメータ７０５３、及び上記提携店ＩＤ７０３１と該提携店１４００の業種コード７０３２からなる利用ガイドＩＤ７０５１に基づく利用ガイドデータ６０５１として構成されると共に、前記データベース管理サーバ装置２１３０を用いて、該利用ガイドデータ６０５１が該提携店ガイドデータベース３０５０に記録され、「提携店利用ガイド」の登録が完了する。
【０１２０】
なお、上記によって利用ガイドデータ６０５１を登録した提携店１４００に設置される位置通知装置の識別情報については、ポイント管理センター１１００によって任意に設定され、該設定された識別情報と該提携店１４００の提携店ＩＤ７０３１は、図２０で示した位置通知装置データベースのレコード・レイアウトに従って、識別情報７０６１と設置先ＩＤ７０６２として、該位置通知装置データベース３０６０に記録される。
【０１２１】
［「提携店利用ガイド」の提供方法］
上述の様にして登録された「提携店利用ガイド」は、図６で示す様に、以下の様にして、ユーザ１２００に提供される。
【０１２２】
ユーザ１２００が、前述したクライアント装置２２１０の専用アプリ４２１０を起動して、該クライアント装置２２１０が、インターネット１９００を介して、前記ポイント管理センター１１００の時間管理システム４１１０に接続されると、該クライアント装置２２１０においてユーザログインフォームが表示され、該ユーザログインフォームにユーザＩＤ７０１１とパスワードを入力してサブミット（データ投入）すると、該サブミットされたユーザＩＤ７０１１とパスワードがポイント管理センター１１１０の時間管理システム４１１０によって取得されると共に、該時間管理システム１１１０を構成する前記アプリケーションサーバ２１２０の認証処理プログラム５１１０が実行され、該実行により、所定のログイン処理が行われる。
【０１２３】
この所定のログイン処理において、該取得されたユーザＩＤ７０１１とパスワードが該ポイント管理センター１１１０のユーザ管理データベース３０１０（図１５）に登録されていることが照合されると、ログインが成立して、上記クライアント装置２２１０の表示画面に「サービスメニュー」を含む初期画面が表示される。
【０１２４】
この「サービスメニュー」には、時間ポイントを利用（消費）できる提携店リストや提携店ごとの利用ガイドが提供される「提携店利用ガイド」なる選択項目があり、先ず、ユーザ１２００によって該「提携店利用ガイド」が選択されると、該選択情報が上記時間管理システム４１１０において取得されると共に、該時間管理システム４１１０を構成するアプリケーションサーバ装置２１２０の条件管理プログラム５１２０が実行され、該実行により、図１９で示した提携店ガイドデータベース３０５０から、前記利用ガイドＩＤ７０５１と前記販促企画データ７０５２が提携店ごとに抽出されると共に、該抽出された提携店ごとの該利用ガイドＩＤ７０５１と該販促企画データ７０５２が含まれた提携店リストが生成され、該生成された提携店リストが、インターネット１９００を介して、該クライアント装置２２１０に送信されると、上記専用アプリ４２１０によって、該送信された提携店リストが取得されると共に、該クライアント装置２２１０の表示画面に表示される。
【０１２５】
ここで、ユーザ１２００は、該送信された提携店リストに含まれた上記販促企画データ７０５２のテキストや画像データによる説明文や画像を確認することができ、例えば、該提携店リストから好みの提携店１４００を選択すると、該提携店１４００の選択情報に含まれた利用ガイドＩＤ７０５１が上記の時間管理システム４１１０において取得されると共に、上記条件管理プログラム５１２０が実行され、該実行により、上記提携店ガイドデータベース３０５０から、該取得された利用ガイドＩＤ７０５１に基づき、該提携店１４００の前記利用ガイドデータ６０５１が抽出され、該抽出された利用ガイドデータ６０５１が、インターネット１９００を介して、該クライアント装置２２１０に送信されると、上記専用アプリ４２１０によって、該送信された提携店１４００の利用ガイドデータ６０５１が取得されると共に、該クライアント装置２２１０の表示画面に表示され、ユーザに、該提携店１４００の店舗情報や時間ポイントの消費条件などに関するテキストや画像、動画などからなる「提携店利用ガイド」が提供される。
【０１２６】
この様に「提携店利用ガイド」の登録処理と提供方法によって、提携店における時間ポイントの利用（消費）に関する販促企画が効率良くユーザに告知される。
【０１２７】
なお、上述した周知の電波発信器を備えた位置通知装置は、周知の調整方法、即ち、該電波発信器の出力を調整したり、電波の透過率が異なる素材によって覆うなどすることにより、上述したクライアント装置に備えられた周知の電波検知器よる該位置通知装置の電波発信器の検知に関する距離、即ち、該位置通知装置と該クライアント装置との検知距離を調整できることは、周知である。
【０１２８】
以上の様にして、ユーザは、時間を単位とする販促ポイントである時間ポイントが発行される加盟店を容易に見つけ、該加盟店において発行される時間ポイントを簡単に貯めることができ、また、該時間ポイントを消費できる提携店を容易に見つけ、貯めた該時間ポイントを該提携店が提供する販促用の商材やサービスと簡単に交換することができる。
【０１２９】
本発明によれば、時間に応じて課金するサービス（時間制サービス）を販売する施設系や施術系、ネット系のサービス事業者などが、前述した提携店として、販売対象とする時間制サービスの売価基準、即ち、該時間制サービスの単位時間当たりの売価（円／分）を基に、該時間制サービスによる「販促時間」分を顧客に提供する場合の顧客が支払う時間ポイント数（分／分）、即ち、該時間制サービスの「販促時間」分に対する時間ポイント売価を算出し、前述した［「提携店利用ガイド」に関する所定のガイド登録操作］によって該算出した時間ポイント売価を前記消費条件パラメータとして登録しておけば、該時間ポイントを保有するユーザに対して、容易に自店の販促内容を伝えることができ、また、該販促内容を利用するために来店したユーザに対して該時間ポイント売価の「販促時間」を容易に提供することができる。
【０１３０】
この様な加盟店と提携店との連携について、前述した美容室とエステ店を、それぞれ、加盟店１３００と提携店１４００とした図７の概要図を基に説明する。
【０１３１】
先ず、上記美容室に対応する加盟店１３００において、「カット＆シャンプー」に要する通常の所要（施術）時間が５０分だとして、該加盟店１３００が、例えば、該「カット＆シャンプー」の「超過待機時間」に対して時間ポイントが発行される内容の「加盟店案内ガイド」を掲載するため、前述の［「加盟店案内ガイド」の登録処理］で説明した案内ガイド設定フォーム５３８１（図５）に対する所定のガイド設定操作によって、先ず、対象時間設定フィールドにおいて、時間ポイントが発行される対象時間として「超過待機時間」を選択したり、また、タイトルとして“カット＆シャンプー待ち時間”とテキスト入力し、更に、関連する画像や動画をローカルディスクから選択して設定し、次に、発行条件設定フィールドにおいて、基本レート（Ｒs）に「１」が設定され、また、設定レート（Ｒn）に「０」を入力し、更に、調整時間（Ｃt）として該「カット＆シャンプー」に要する通常の所要（施術）時間「５０分」を入力するなどして案内ガイドデータ６０４１（図１８）を登録し、位置通知装置２３２０を特定場所（ここでは、「カット＆シャンプー」の施術区画とする）に設置して起動しておく。
【０１３２】
ここに、前述した電波検知器２２１１を備え専用アプリ４２１０がインストールされたクライアント装置２２１０を所持したユーザ１２００が、該専用アプリ４２１０を起動して、該加盟店１３００に来店し、上記の「カット＆シャンプー」を注文して、上記の施術区画に入ると、該位置通知装置２３２０から発信されるＢｌｕｅｔｏｏｔｈ規格の電波が該クライアント装置２２１０の電波検知器２２１１によって検知され、該専用アプリ４２１０によって、該位置通知装置２３２０の識別情報２３２１が取得されると共に、該取得された識別情報２３２１と該専用アプリ４２１０の識別情報４２１１が、インターネット１９００を介して、ポイント管理センター１１００の時間管理システム４１１０に送信される。
【０１３３】
これを上記時間管理システム４１１０が受信すると、前述の［ユーザによる所定の発行操作］で説明した様に、該時間管理システム４１１０を構成するアプリケーションサーバ装置２１２０の認証処理プログラム５１１０が実行され、該実行により、該受信した識別情報２３２１と識別情報４２１１に基づく所定の位置通知装置照合処理と所定のユーザ照合処理を経て、該識別情報４２１１と該識別情報２３２１を構成要素とする認証コード６５１０が生成され、更に、該アプリケーションサーバ装置２１２０の条件管理プログラム５１２０が実行され、該実行により、図１８で示した加盟店ガイドデータベース３０４０から該加盟店１３００によって設定された上記の案内ガイドデータ６０４１が抽出されると共に、該抽出された案内ガイドデータ６０４１の発行対象データ７０４２に設定された対象時間データ８０４２と発行条件パラメータ７０４３及び該生成された認証コード６５１０が、インターネット１９００を介して、該クライアント装置２２１０に送信され、該送信された対象時間データ８０４２と発行条件パラメータ７０４３及び認証コード６５１０が上記専用アプリ４２１０によって取得される。
【０１３４】
そして、前述の［発行操作に関する時間計測処理］で説明した様に、先ず、上記専用アプリ４２１０によって取得された対象時間データ８０４２と認証コード６５１０が該専用アプリ４２１０を構成する受信計測プログラム５２１０の計測パラメータ７２１１にセットされて該受信計測プログラム５２１０が実行され、該実行により、該対象時間データ８０４２の計測開始時刻に関する設定（ここでは、該受信計測プログラム５２１０の実行時刻を計測開始時刻とする）に従い、該受信計測プログラム５２１０の実行時刻が計測開始時刻（Ｔs）として取得されると共に、該クライアント装置２２１０に備えられた電波検知器２２１１によって前記位置通知装置２３２０から発信されるＢｌｕｅｔｏｏｔｈ規格の電波が検知され続ける限り、時間が計測され、次に、上記のカット＆シャンプーの施術が終了してユーザ１２００が施術区画を出ると、上記クライアント装置２２１０に備えられた電波検知器２２１１が上記位置通知装置２３２０から発信されるＢｌｕｅｔｏｏｔｈ規格の電波を誤差設定時間（Ｅr）以上検知しなくなり前記受信計測プログラム５２１０の実行が終了し、該対象販促データ８０４２の計測終了時刻に関する設定、（ここでは、該受信計測プログラム５２１０の実行が終了した時刻を計測終了時刻とする）に従い、該受信計測プログラム５２１０の実行が終了した時刻が計測終了時刻（Ｔe）として取得され、該ユーザ１２００の該施術区画における滞在時間が計測される。
【０１３５】
以上の様にして上記専用アプリ４２１０によって取得された計測開始時刻（Ｔs）と計測終了時刻（Ｔe）及び誤差設定時間（Ｅr）が、前述の［時間計測処理に基づく発行ポイントの算出処理］で説明した様に、それぞれ、時刻設定パラメータ７２３１の開始時刻フィールドと終了時刻フィールドや誤差時間フィールドに代入され、上記発行条件パラメータ７０４３に基づき、上記ユーザ１２００に発行される時間ポイントが算出される。
【０１３６】
ここで、例えば、前記の計測開始時刻（Ｔs）と計測終了時刻（Ｔe）及び誤差設定時間（Ｅr）から、該ユーザ１２００の前記施術区画における滞在時間、即ち、数式｛Ｓt＝（Ｔe−Ｔs−Ｅr）｝によって定められる実質計測時間（Ｓt）が９０分だったとして、上記による発行条件パラメータ７０４３の設定値、即ち、基本レート（Ｒs）の「１」、調整時間（Ｃt）の「５０分」から、前記ユーザ１２００に発行される時間ポイントの発行数（Ｅp）は、以下の数式によって算出される。
【０１３７】
数式｛Ｅp＝（Ｓt−Ｃt）×Ｒs｝＝（９０分−５０分）×１＝４０ＴＰ（ＴＰは、時間ポイントの単位）
【０１３８】
次に、前記エステ店に対応する提携店１４００において、新しい施術サービス「足裏マッサージ２０分、施術料金８００円」を始めたとして、該提携店１４００が、該「足裏マッサージ」の販促として「お試し１分」を企画し、例えば、これを該「足裏マッサージ」の売価基準（施術料金８００円÷施術時間２０分＝４０円／分）による時間ポイント売価４０ＴＰで提供する「提携店利用ガイド」を掲載するため、前述の［「提携店利用ガイド」に関する所定の登録操作］で説明した利用ガイド設定フォーム５４８１（図６）に対する所定のガイド設定操作によって、先ず、販促企画設定フィールドにおいて、販促項目として「お試し販促時間」を選択したり、また、タイトルとして“足裏マッサージのお試し１分”とテキスト入力し、更に、関連する画像や動画をローカルディスクから選択して設定し、次に、消費条件設定フィールドにおいて、販売時間（Ｔn）として該「足裏マッサージ」の施術時間２０分を入力し、また、販売価格（Ｐs）として該販売時間（Ｔn）の施術料金８００円を入力し、更に、設定時間（Ｔp）として該販促企画によってユーザに提供する販促時間１分を入力するなどして利用ガイドデータ６０５１（図１９）を登録し、位置通知装置２４２０を設置して起動しておく。
【０１３９】
［販促利用チケット発行処理］
ここで、前記の販促時間１分に時間ポイント４０ＴＰを利用（消費）する方法については、以下で説明する販促利用チケット発行処理に関する構成を付加することによって簡単に実現することができる。
【０１４０】
これは、図８の概要図で示す様に、例えば、前述した時間ポイント４０ＴＰが発行されたユーザ１２００が、保有するクライアント装置２２１０の専用アプリ４２１０を使い、前述の［「提携店利用ガイド」の提供方法］で説明した方法によって、提携店リストに掲載された前記提携店１４００の販促企画「足裏マッサージのお試し１分」に関する「提携店利用ガイド」を取得すると、該取得した「提携店利用ガイド」に、例えば、「時間ポイント４０ＴＰを使って販促利用チケットを発行」と言う項目が表示され、該項目を選択すると、該クライアント装置２２１０の専用アプリ４２１０によって、該項目の選択情報に含まれる利用ガイドＩＤ７０５１が取得されると共に、該取得された利用ガイドＩＤ７０５１と該専用アプリ４２１０の識別情報４２１１が、インターネット１９００を介して、前記時間管理システム４１１０に送信され、該時間管理システム４１１０において、先ず、前述の［ユーザによる所定の消費操作］で説明した該時間管理システム４１１０を構成するアプリケーションサーバ装置２１２０の認証処理プログラム５１１０による所定のユーザ照合処理によって該送信された識別情報４２１１が正しく照合されると、該識別情報４２１１に対応する該ユーザ１２００のユーザＩＤ７０１１（図１５）が取得されると共に、該アプリケーションサーバ装置２１２０の条件管理プログラム５１２０とポイント管理プログラム５１３０によって販促利用チケット発行処理が実行される。
【０１４１】
この販促利用チケット発行処理は、先ず、上記の条件管理プログラム５１２０によって、図１９に示した提携店ガイドデータベース３０５０から上記利用ガイドＩＤ７０５１に対応する利用ガイドデータ６０５１が検索されると共に、該検索された利用ガイドデータ６０５１から販促企画データ７０５２と消費条件パラメータ７０５３が抽出され、更に、該抽出された販促企画データ７０５２と消費条件パラメータ７０５３と上記ユーザＩＤ７０１１、及び販促利用チケットの「発行」に対応する処理区分８１０１からなる販促チケットＩＤ７１０１を含む販促利用チケットデータ６１０１が生成されると共に、該生成された販促利用チケットデータ６１０１が、図２２で示した販促チケット管理データベースのレコード・レイアウトに従い、データベース管理サーバ装置２１３０を用いて、該販促チケット管理データベース３１００に記録され、次に、上記のポイント管理プログラム５１３０によって、該ユーザＩＤ７０１１と時間ポイントの「引当」に対応する処理区分８０７２からなるポイントＩＤ７０７１と登録日時、及び前述の［時間計測処理に基づく消費ポイントの算出処理］で説明した該消費条件パラメータ７０５３に基づく算出結果、即ち、数式｛Ｃp＝（Ｐs÷Ｔn）×Ｔp｝＝｛（８００円÷２０分）×１分｝によって与えられる時間ポイントの消費数（ポイント売価４０ＴＰ）からなる時間ポイントデータ７０７２を含むポイントデータ６０７１が、図２１で示した、ポイント管理データベースのレコード・レイアウトに従い、データベース管理サーバ装置２１３０を用いて、該ポイント管理データベース３０７０に記録されて終了する。
【０１４２】
上記の販促利用チケット発行処理が終了すると、上記認証処理プログラム５１１０によって、上記利用ガイドＩＤ７０５１の提携店ＩＤ７０３１を検索キーとして、上記時間管理システム４１１０の位置通知装置データベース３０６０（図２０）から該提携店ＩＤ７０３１に対応する上記提携店１４００に設置されている位置通知装置２４２０の識別情報２４２１が抽出されると共に、該抽出された識別情報２４２１と該販促利用チケットデータ６１０１の販促チケットＩＤ７１０１と上記専用アプリ４２１０の識別情報４２１１からなる通知情報が生成され、該生成された通知情報が、インターネット１９００を介して、上記クライアント装置２２１０に送信されると、該クライアント装置の該専用アプリ４２１０によって該送信された通知情報が取得されると共に、該クライアント装置２２１０の表示画面に表示され、更に、該クライアント装置２２１０の記憶装置に記録される。
【０１４３】
なお、上記のクライアント装置２２１０に送信される通知情報は、例えば、上記の識別情報２４２１と販促チケットＩＤ７１０１と識別情報４２１１のテキストデータを含む周知のテキストファイルや該テキストデータに基づく周知のＱＲコードデータとして提供され、提携店や加盟店に設置された位置通知装置が発信するＢｌｕｅｔｏｏｔｈ規格の電波が該クライアント装置２２１０の電波検知器２２１１によって検知されると、該クライアント装置２２１０の専用アプリ４２１０によって最初に参照され、例えば、該テキストファイルに含まれるテキストデータが該専用アプリ４２１０によって取得されて前述の受信計測プログラム５２１０が実行されたり、或いは、該テキストデータに基づくＱＲコードデータが該専用アプリ４２１０によって該クライアント装置２２１０の表示画面に表示されて加盟店や提携店のバーコードリーダによって読み取られる。
【０１４４】
［販促利用チケットの利用確認処理］
上記によって発行された販促利用チケットは、図８の概要図で示す様に、以下の様にして、前記ユーザ１２００によって利用される。
【０１４５】
先ず、該ユーザ１２００が、前記クライアント装置２２１０の専用アプリ４２１０を起動して、前記記提携店１４００に来店し、該提携店１４００の前記位置通知装置２４２０から発信されるＢｌｕｅｔｏｏｔｈ規格の電波が該クライアント装置２２１０の電波検知器２２１１によって検知されると、該専用アプリ４２１０によって、前記チケット情報が参照されると共に、該チケット情報に含まれた上述の識別情報２４２１と販促チケットＩＤ７１０１と識別情報４２１１が取得され、更に、該位置通知装置２４２０の識別情報２４２１が取得され、該取得されたチケット情報の識別情報２４２１と該位置通知装置２４２０の識別情報２４２１が一致し、また、該取得されたチケット情報の識別情報４２１１と該専用アプリ４２１０の識別情報４２１１が一致すると、該専用アプリ４２１０によって、該取得されたチケット情報の販促チケットＩＤ７１０１と該位置通知装置２４２０の識別情報２４２１と該専用アプリ４２１０の識別情報４２１１が、インターネット１９００を介して、ポイント管理センター１１００の時間管理システム４１１０に送信される。
【０１４６】
これを前記時間管理システム４１１０が受信すると、該時間管理システム４１１０を構成するアプリケーション・サーバ装置２１２０の認証処理プログラム５１１０が実行され、該実行により、前述の［ユーザによる所定の消費操作］で説明した所定の位置通知装置照合処理によって該送信された上記位置通知装置２４２０の識別情報２４２１が正しく照合され、また、所定のユーザ照合処理によって該送信された上記専用アプリ４２１０の識別情報４２１１が正しく照合されると、該位置通知装置２４２０の識別情報２４２１と該専用アプリ４２１０の識別情報４２１１によって構成される認証コード６５１０が生成されると共に、販促利用チケット抽出処理が行われる。
【０１４７】
この販促利用チケット抽出処理は、上記アプリケーションサーバ装置２１２０の条件管理プログラム５１２０の実行によって行われ、該実行により、上記時間管理システム４１１０の販促チケット管理データベース３０８０から、上記販促チケットＩＤ７１０１に対応する販促利用チケットデータ６１０１（図２２）が抽出されると共に、該抽出された販促利用チケットデータ６１０１を含む販促チケット利用フォームと上記認証コード６５１０が、該時間管理システム４１１０から、インターネット１９００を介して、上記クライアント装置２２１０に送信され、該送信された販促利用チケットデータ６１０１を含む販促チケット利用フォームと認証コード６５１０が該クライアント装置２２１０の専用アプリ４２１０によって取得されると、販促チケット表示処理が行われる。
【０１４８】
この販促利用チケット表示処理は、上記専用アプリ４２１０を構成する販促チケット表示プログラム５２５０の実行によって行われ、該実行により、該専用アプリ４２１０によって取得された上記販促利用チケットデータ６１０１が上記クライアント装置２２１０の表示画面に表示されると共に、該販促チケット利用フォームによって、該クライアント装置２２１０の表示画面に「利用ボタン」が提供される。
【０１４９】
なお、専用アプリ４２１０を構成する前記販促チケット表示プログラム５２５０は、周知のＨＴＭＬやＣＳＳ、ＪａｖａＳｃｒｉｐｔなどを解釈するレンダリングエンジンを備えたプログラムであって、例えば、ＷｅｂＫｉｔは、その代表的なオープンソースである。
【０１５０】
また、前記販促チケット利用フォームは、周知のＨＴＭＬやＣＳＳ、ＪａｖａＳｃｒｉｐｔなどによって構成され、上記の販促チケット表示プログラム５２５０によって、上記クライアント装置２２１０の表示画面に前記販促利用チケットデータ６１０１のテキストや画像、動画などからなる販促企画データ７０５２（図２２）を効率良く表示させる。
【０１５１】
［販促利用チケットの利用に基づく時間ポイントの消費処理」
ここで、図８の概要図で示す様に、前記ユーザ１２００が、前記クライアント装置２２１０の表示画面に表示された販促チケット利用フォームを前記提携店１４００の従業員などに提示し、前記「利用ボタン」をクリック（タッチ）すると、該ユーザ１２００による販促利用チケットの利用に基づく時間ポイントの消費処理が以下の様にして行われる。
【０１５２】
ユーザ１２００によって「利用ボタン」がクリック（タッチ）されると、前記販促利用チケットデータ６１０１の販促チケットＩＤ７１０１と前記認証コード６５１０と前記専用アプリ４２１０の識別情報４２１１が、上記販促チケット利用フォームを介して、前記時間管理システム４１１０にサブミット（データ投入）されると共に、該時間管理システム４１１０を構成するアプリケーションサーバ装置２１２０の認証処理プログラム５１１０が実行され、該実行により、前述の［時間ポイントの消費履歴データ管理処理］で説明した所定の位置通知装置照合処理によって該サブミットされた認証コード６５１０を構成する前記提携店１４００に設置された位置通知装置２４２０の識別情報２４２１が正しく照合されると、該識別情報２４２１に対応する該提携店１４００の提携店ＩＤ７０３１（図１７）が取得され、また所定のユーザ照合処理によって該サブミットされた認証コード６５１０を構成する前記専用アプリ４２１０の識別情報４２１１が正しく照合されると、該識別情報４２１１に対応する該ユーザ１２００のユーザＩＤ７０１１（図１５）が取得され、時間ポイントの消費処理が行われる。
【０１５３】
この時間ポイントの消費処理は、上記アプリケーションサーバ装置２１２０のポイント管理プログラム５１３０の実行によって行われ、該実行により、上記ユーザＩＤ７０１１と時間ポイントの「消費」に対応する処理区分８０７２からなるポイントＩＤ７０７１と該消費処理の登録日時と上記提携店ＩＤ７０３１などを含むポイントデータ６０７１が、図２１で示した、ポイント管理データベースのレコード・レイアウトに従って、該ポイント管理データベース３０７０に記録されると共に、上記販促チケットＩＤ７１０１に対応する前記販促チケット管理データベース３０８０（図２２）の販促利用チケットデータ６１０１に記録された販促チケットの「発行」に対応する処理区分８１０１が「利用」に対応する処理区分８１０１に変更され、更に、必要に応じて、該時間管理システム４１１０から、例えば、図８で示す様に、電子メールなどで該提携店１４００に対し時間ポイント消費通知が送信される。
【０１５４】
以上の様にして、ユーザは、美容室での「超過待機時間」によって発行された時間ポイント４０ＴＰをエステ店の販促利用チケット（ポイント売価４０ＴＰ）に交換して、不快な時間を快適な時間に変えることができる。
【０１５５】
上述した通り、本発明によって時間ポイントを流通させれば、先ず、顧客にとっては、加盟店における「待機時間」に応じて発行される時間ポイントを貯めておけば、提携店において提供される「販促時間」分のサービスに対し貯めておいた時間ポイントから、例えば、該「販促時間」の売価基準によって算出された時間ポイント売価分の時間ポイントを支出（消費）するだけで、該「販促時間」分のサービスを受けられ、結果として、「待機時間」と言う不快な時間を「販促時間」と言う快適な時間に交換することが可能になり、そして、商材やサービスが限られた加盟店にとっては、必ずしも、ユーザの再来店とバランスしない発行コストを気にすることなく、また発行元と消費先との間における金銭的な精算処理に係るコストを負担することもなく、時間ポイントを介して提供される提携店の販促用商材やサービスによって顧客サービスを充実させることが可能になり、更に、広告予算が限られた提携店にとっては、時間ポイントを介して顧客との接点を増やしながら販売機会を獲得することが可能になり、結果として、加盟店と提携店が、時間ポイントを介して相互のビジネスを補完しながら顧客満足を高められると言う、セールスプロモーションの好循環モデルが実現する。
【０１５６】
以上説明した第１の実施形態において、ユーザが操作するスマートフォン（携帯電話）などのクライアント装置は、本発明による専用アプリをインストールするだけで、「時間を貯めて使える」電子的な財布として機能することになるので、加盟店や提携店は、例えば、小型でコストの掛からないＢｌｕｅｔｏｏｔｈ規格の発信器を採用した位置通知装置を設置するだけで、ユーザに対し、時間を単位とする販促ポイントである時間ポイントを発行したり、或いは、ユーザから、該時間ポイントの消費を受け付けることができるので、前述した様な高価なポイント発行装置を設置することなく、加盟店においては、自らは提供し得ない商材やサービスを充足させることが、また提携店においては、コストを掛けず販促機会を獲得することが、該時間ポイントの流通によって実現される。
【０１５７】
なお、時間を単位とする販促ポイントの発行及び消費条件である時間の計測対象は、上述の位置通知装置が発信するＢｌｕｅｔｏｏｔｈ規格の電波に限定されるものではなく、例えば、ＷｉＦｉ規格の電波などの電磁波や音波などを対象として計測する様に構成することができる。
【０１５８】
また、ユーザの特定場所における所定の経過時間を計測する方法としては、上述の位置通知装置を用いる方法に限定されるものではなく、例えば、ユーザが所持する前述のクライアント装置に周知のＧＰＳ受信機を備えたＧＰＳ機能を有するスマートフォン（携帯電話）を採用し、該ＧＰＳ機能によって取得される該クライアント装置の位置情報が前述の専用アプリにおいて取得される構成を付加し、また、前述の加盟店ガイドデータベースや提携店ガイド管理データベースに記録される案内ガイドデータや利用ガイドデータの構成に前述の加盟店や提携店に設置した位置通知装置の設置場所に相当する位置データを付加し、更に、該案内ガイドデータの業種コードや利用ガイドデータの業種コードに、例えば、９００番台のＧＰＳ対応コードを割り当てることによって容易に実現できる。
【０１５９】
上記の様な構成が付加されれば、前述の［「加盟店案内ガイド］の提供方法］や［「提携店利用ガイド」の提供方法］で説明した「サービスメニュー」から「加盟店案内ガイド」や「提携店利用ガイド」の項目選択によって加盟店リストや提携店リストがユーザに提供される方法に加え、後述の［「ＧＰＳ連動ガイド」の提供方法］で説明する方法によって、例えば、ＧＰＳ機能を備えたクライアント装置を所持するユーザの現在位置に応じて、該加盟店リストや提携店リストを自動的に提供することが可能になり、また、この時のクライアント装置と時間管理システムとの通信過程において、該クライアント装置の現在位置と加盟店や提携店の位置情報を逐次照合することが可能になり、前述した位置通知装置が発信する電波とクライアント装置の電波検知器によるユーザの所在確認方法と同等、或いは、同等以上に、ユーザの特定場所における所定の経過時間を計測することが可能になる。
【０１６０】
これは、前述したポイント管理センターの時間管理システムを構成するアプリケーションサーバ装置に以下の様な処理が実行される「ＧＰＳ連動ガイドプログラム」を設け、また、前述したクライアント装置の専用アプリに以下の様な処理が実行される「位置計測プログラム」を設けることによって実現される。
【０１６１】
［「ＧＰＳ連動ガイド」の提供方法］
図９の概要図に示す様に、先ず、周知のＧＰＳ受信機を備えたＧＰＳ機能を有し位置計測プログラム５２２０を含む専用アプリ４２１０がインストールされたクライアント装置２２１０を所持したユーザ１２００が、加盟店１３００や提携店１４００、或いは、その近隣において、該専用アプリ４２１０を起動して、前述の［「加盟店案内ガイド］の提供方法］や［「提携店利用ガイド」の提供方法］で説明した所定のログイン処理を経て表示された「サービスメニュー」から「ＧＰＳ連動ガイド」なる項目を選択すると、該専用アプリ４２１０の位置計測プログラム５２２０が実行され、該実行により、ＧＰＳ機能によって計測される現在位置の測位データがクライアント位置データ２２２０（緯度Ｘc，経度Ｙc）として定期的に取得され、該定期的に取得されたクライアント位置データ２２２０（緯度Ｘc，経度Ｙc）と該専用アプリ４２１０の識別情報４２１１が、インターネット１９００を介して、上記ポイント管理センター１１１０の時間管理システム４１１０に定期的に送信され、該定期的に送信されたクライアント位置データ２２２０（緯度Ｘc，経度Ｙc）と識別情報４２１１が該時間管理システム４１１０において取得されると、該時間管理システム４１１０においてＧＰＳ連動ガイド生成処理が行われる。
【０１６２】
このＧＰＳ連動ガイド生成処理は、上記時間管理システム４１１０を構成するアプリケーションサーバ装置２１２０のＧＰＳ連動ガイドプログラム５１４０によって実行され、該実行により、該取得されたクライアント位置データ２２２０（緯度Ｘc，経度Ｙc）に所定の値αを加減した検索位置データ（緯度Ｘc±α，経度Ｙc±α）を条件とする範囲内の加盟店位置データ８０２１（緯度Ｐxn，経度Ｐyn）を有する案内ガイドＩＤ７０４１と発行対象データ７０４２が、また、同範囲内の該提携店位置データ８０３１（緯度Ａxn，経度Ａyn）を有する利用ガイドＩＤ７０５１と販促規格データ７０５２が、それぞれ、図１８で示した加盟店ガイドデータベース３０４０や図１９で示した提携店ガイドデータベース３０５０から順次検索され、該検索によって該条件に適合する案内ガイドＩＤ７０４１や利用ガイドＩＤ７０５１が検索されると、該検索された加盟店位置データ８０２１（緯度Ｐxn，経度Ｐyn）を有する案内ガイドＩＤ７０４１と発行対象データ７０４２を含む加盟店リストや提携店位置データ８０３１（緯度Ａxn，経度Ａyn）を有する利用ガイドＩＤ７０５１と販促企画データ７０５２を含む提携店リストが生成され、該生成された加盟店リストや提携店リストが、インターネット１９００を介して、該クライアント装置２２１０に順次送信される。
【０１６３】
この様にして順次送信された加盟店リストや提携店リストは、上記専用アプリ４２１０によって取得されると共に、上記クライアント装置２２１０の表示画面に表示される一方で、該専用アプリ４２１０の位置計測プログラム５２２０によって、該送信された加盟店リストに含まれた案内ガイドＩＤ７０４１の加盟店位置データ８０２１（緯度Ｐxn，経度Ｐyn）や提携店リストに含まれた利用ガイドＩＤ７０５１の提携店位置データ８０３１（緯度Ａxn，経度Ａyn）が順次取得される。
【０１６４】
［ＧＰＳ機能による時間計測処理］
ここで、図９の概要図に示す様に、前記位置計測プログラム５２２０によって順次取得された前記加盟店位置データ８０２１（緯度Ｐxn，経度Ｐyn）や前記提携店位置データ８０３１（緯度Ａxn，経度Ａyn）は、該位置計測プログラム５２２０によって、順次、ＧＰＳ機能によって計測される現在位置の測位データに基づくクライアント位置データ２２２０（緯度Ｘc，経度Ｙc）と比較され、該加盟店位置データ８０２１（緯度Ｐxn，経度Ｐyn）または提携店位置データ８０３１（緯度Ａxn，経度Ａyn）が、該クライアント位置データ２２２０（緯度Ｘc，経度Ｙc）に所定の値βを加減した滞在位置データ（緯度Ｘc±β，経度Ｙc±β）を条件とする範囲内の位置データであるかどうかについて判定が行われ、例えば、最初に「Ｙｅｓ」判定されると時間の計測が開始され、その後の「Ｙｅｓ」判定において時間計測が継続され、該時間計測の継続中に「Ｎｏ」判定がなされると該時間計測が終了する。
【０１６５】
具体的には、上記の所定の値αとβの関係について、例えば、αがβより大きい関係（α＞β）に設定されると、上記位置計測プログラム５２２０によって、先ず、図９の（ア）において、上記の検索位置データに関する判定が「Ｙｅｓ」で滞在位置データに関する判定が「Ｎｏ」なので、上述した専用アプリ４２１０による加盟店リストや提携店リストの表示のみが行われるが、次の図９の（イ）において、上記の検索位置データに関する判定が「Ｙｅｓ」で滞在位置データに関する判定も「Ｙｅｓ」となり、かつ、該滞在位置データに関する判定が最初の「Ｙｅｓ」判定なので、時間計測が開始され、また、上記クライアント装置が図９の（イ）に所在する限り、該検索位置データに関する判定と滞在位置データに関する判定が「Ｙｅｓ」となるので、該時間計測が継続されるが、更に、次の図９の（ウ）においては、αとβの関係（α＞β）から、上記の検索位置データに関する判定は「Ｙｅｓ」となるが滞在位置データに関する判定は「Ｎｏ」となって、該時間計測は終了する。
【０１６６】
この様に、ＧＰＳ機能と上記位置計測プログラム５２２０を用いた上記の様な方法によっても、ユーザの特定場所における所定の経過時間を計測することができるので、該方法によって、前述の［時間計測処理に基づく発行ポイントの算出処理］や［時間計測処理に基づく消費ポイントの算出処理］で説明した様な時間ポイントを算出することも可能になる。
【０１６７】
なお、上記の専用アプリ４２１０においてＧＰＳ機能を用いてクライアント装置の位置情報を取得する前記位置計測プログラム５２２０は、本発明の出願時点において公開されている様々なＡＰＩ（アプリケーション・プログラミング・インターフェイス）を活用し、ＪａｖａやＣ、Ｃ＋＋などのプログラム言語を用いて開発することができ、Ｗ３Ｃ（World Wide Web Consortium）が仕様を定めるＧｅｏｌｏｃａｔｉｏｎを使った代表的なＡＰＩとして、例えば、図１０に示した、Ｇｏｏｇｌｅ社の「Ｇｏｏｇｌｅ Ｍａｐｓ ＪａｖａＳｃｒｉｐｔ ＡＰＩ（https://developers.google.com/maps/documentation/javascript/examples/map-geolocation?hl=ja）」を掲げることができる。
【０１６８】
上述の様にして、ポイント管理センターの時間管理システムを構成するアプリケーションサーバ装置にＧＰＳ連動ガイドプログラムが設けられ、また、クライアント装置の専用アプリに位置計測プログラムが設けられれば、高速道路や有料道路などの料金所を加盟店に見立て、また、そのサービスエリア内にある特定店舗を提携店に見立てることにより、該高速道路や有料道路の一定区間における該クライアント装置を搭載した車両の走行時間（Ｔd）と渋滞なく該区間を所定の制限速度で走行したときの所要時間（Ｔr）との差（Ｔd−Ｔr）から超過時間（Ｔa）が算出され、例えば、該超過時間（Ｔa）に相応する時間ポイントがポイント管理センターによって発行されれば、上記提携店に見立てた該サービスエリア内の特定店舗が提供する「販促時間」に該発行された時間ポイント（Ｐt）を利用（消費）することが可能になり、例えば、上記の区間が大幅に渋滞したとして、超過時間（Ｔa）が６０分として時間ポイント６０ＴＰが発行され、また、例えば、該特定店舗における「販促時間」を運転者の疲れを癒すマッサージ（通常価格５分３００円、「販促時間」１分の売価基準による時間ポイント売価が６０ＴＰ）とすると、運転で疲れた運転者は、該時間ポイント６０ＴＰによって、該マッサージを通常価格３００円で「販促時間」１分多い６分間受けることができる。
【０１６９】
以下、上記の構成について、図１１の概要図を基に、詳しく説明する。
【０１７０】
先ず、ポイント管理センター１１１０の時間管理システム４１１０を構成するアプリケーションサーバ装置２１２０にＧＰＳ連動ガイドプログラム５１４０が設けられることに伴い、図１８で示した加盟店ガイドデータベース３０３０の案内ガイドデータ６０４１に緯度（Ｐxn）と経度（Ｐyn）からなる加盟店位置データ８０２１が付加されると共に、図１９で示した提携店ガイドデータベース３０４０の利用ガイドデータ６０５１に緯度（Ａxn）と経度（Ａyn）からなる提携店位置データ８０３１が付加され、更に、前述の［ユーザによる所定の発行操作］や［ユーザによる所定の消費操作］で説明した認証コード６５１０の構成要素については、専用アプリ４２１０の識別情報４２１１と該加盟店位置データ８０２１（緯度Ｐxn，経度Ｐyn）または該提携店位置データ８０３１（緯度Ａxn，経度Ａyn）とする構成の変更を前提とする。
【０１７１】
また、ユーザ１２００が所持するクライアント装置２２１０は、Ｂｌｕｅｔｏｏｔｈ規格の電波を検知する周知の電波検知器と周知のＧＰＳ機能を備えたスマートフォン（携帯電話）やタブレットＰＣなどの携帯端末であって、該電波検知器の電波受信状態を監視しながら時間計測を行う受信計測プログラムと該ＧＰＳ機能によって計測される現在位置の測位データを取得しながら時間計測を行う位置計測プログラム５２２０及び時間ポイントの発行管理を行うためのポイント発行プログラムや時間ポイントの消費管理を行うためのポイント消費プログラムからなる専用アプリ４２１０（図４）がインストールされたクライアント装置２２１０とする。
【０１７２】
次に、上記の高速道路や有料道路の一定区間について、緯度（Ｐx1）と経度（Ｐy1）の加盟店位置データ８０２１によって定まる第１料金所１７０１（Ｐx1，Ｐy1）から緯度（Ａx1）と経度（Ａy1）の提携店位置データ８０３１によって定まるサービスエリア内の第１特定店舗１８０１（緯度Ａx1，経度Ａy1）までを第１区間（緯度Ａx1±Ｐx1，経度Ａy1±Ｐy1）とし、また、該第１特定店舗１８０１（緯度Ａx1，経度Ａy1）から緯度（Ｐx2）と経度（Ｐy2）の加盟店位置データ８０２１によって定まる第２料金所１７０２（緯度Ｐx2，経度Ｐy2）までを第２区間（緯度Ｐx2±Ａx1，経度Ｐy2±Ａy1）とする。
【０１７３】
そして、前記クライアント装置２２１０を所持したユーザ１２００が、該クライアント装置の前記専用アプリ４２１０を起動し、前述の［「加盟店案内ガイド］の提供方法］や［「提携店利用ガイド」の提供方法］で説明した所定のログイン処理を経て表示された「サービスメニュー」から「ＧＰＳ連動ガイド」を選択した状態で車両１６００に搭乗し、該第１区間（Ｐx2±Ｐx1，Ｐy2±Ｐy1）と該第２区間（Ａx1±Ｐx2，Ａy1±Ｐy2）を走行するものとする。
【０１７４】
ここで、上記の前提を基に、前述の［「ＧＰＳ連動ガイド」の提供方法］において図９の概要図で示した様な過程が、前記クライアント装置２２１０と前記時間管理システム４１１０との通信において繰り返される。
【０１７５】
先ず、第１過程として、前記クライアント装置２１１０の専用アプリ４２１０を構成する位置計測プログラム５２２０によって、ＧＰＳ機能によって計測される現在位置の測位データがクライアント位置データ２２２０（緯度Ｘc，経度Ｙc）として定期的に取得され、該定期的に取得されたクライアント位置データ２２２０（緯度Ｘc，経度Ｙc）と該専用アプリ４２１０の識別情報４２１１が、インターネット１９００を介して、前記ポイント管理センター１１１０の時間管理システム４１１０に定期的に送信される。
【０１７６】
次に、第２過程として、定期的に送信された上記のクライアント位置データ２２２０（緯度Ｘc，経度Ｙc）と識別情報４２１１が上記時間管理システム４１１０において取得されると、該時間管理システム４１１０を構成するアプリケーションサーバ装置２１２０のＧＰＳ連動ガイドプログラム５１４０が実行され、該実行により、該クライアント位置データ２２２０（緯度Ｘc，経度Ｙc）に所定の値αを加減した検索位置データ（緯度Ｘc±α，経度Ｙc±α）を条件とする範囲内の加盟店位置データ（緯度Ｐxn，経度Ｐyn）を有する案内ガイドＩＤ７０４１と発行対象データ７０４２が、また、同範囲内の該提携店位置データ（緯度Ａxn，経度Ａyn）を有する利用ガイドＩＤ７０５１と販促規格データ７０５２が、それぞれ、加盟店ガイドデータベース３０４０や提携店ガイドデータベース３０５０から順次検索され、該検索によって該条件に適合する案内ガイドＩＤ７０４１や利用ガイドＩＤ７０５１が検索されると、該検索された加盟店位置データ（緯度Ｐxn，経度Ｐyn）を有する案内ガイドＩＤ７０４１と発行対象データ７０４２を含む加盟店リストや提携店位置データ（緯度Ａxn，経度Ａyn）を有する利用ガイドＩＤ７０５１と販促規格データ７０５２を含む提携店リストが生成され、該生成された加盟店リストや提携店リストが、インターネット１９００を介して、上記クライアント装置２２１０に順次送信される。
【０１７７】
そして、第３過程として、順次送信された上記の加盟店リストや提携店リストが上記専用アプリ４２１０によって取得されると共に、上記クライアント装置２２１０の表示画面に表示される一方で、該専用アプリ４２１０の位置計測プログラム５２２０によって、該送信された加盟店リストに含まれた案内ガイドＩＤ７０４１の加盟店位置データ（緯度Ｐxn，経度Ｐyn）や提携店リストに含まれた利用ガイドＩＤ７０５１の提携店位置データ（緯度Ａxn，経度Ａyn）が順次取得される。
【０１７８】
即ち、ユーザ１２００による前記「ＧＰＳ連動ガイド」の選択によって、この様な過程が繰り返される。
【０１７９】
上述の過程において、例えば、図１１の概要図で示す様に、前述した第１料金所１７０１（Ｐx1，Ｐy1）を通過する頃に、前記第２過程において、前記ＧＰＳ連動ガイドプログラム５１４０によって前記検索位置データ（緯度Ｘc±α，経度Ｙc±α）の条件に適合するＧＰＳ対応コード「高速料金所（９０１）」の業種コード７０２２（図１８）を有する案内ガイドＩＤ７０４１が検索されると、前記時間管理システム４１１０を構成するアプリケーションサーバ装置２１２０の認証処理プログラム５１１０が実行され、該実行により、前記識別情報４２１１と該案内ガイドＩＤ７０４１に含まれる加盟店位置データ（緯度Ｐxn，経度Ｐyn）を構成要素とする認証コード６５１０が生成されると共に、前記加盟店ガイドデータベース３０４０から該案内ガイドＩＤ７０４１に対応する案内ガイドデータ６０４１の発行条件パラメータ７０４３が抽出され、該認証コード６５１０と該発行条件パラメータ７０４３が、インターネット１９００を介して、前記クライアント装置２２１０に送信され、該送信された認証コード６５１０と発行条件パラメータ７０４３が該クライアント装置の専用アプリ４２１０によって取得されると、該専用アプリ４２１０によって該認証コード６５１０と発行条件パラメータ７０４３が前記位置計測プログラム５２２０の計測パラメータ７２２１にセットされて該位置計測プログラム５２２０が実行され、該実行により、時間の計測が開始されると共に、該実行時刻が計測開始時刻（Ｔs）として該専用アプリ４２１０によって取得される。
【０１８０】
そして、例えば、前述した第１特定店舗１８０１（緯度Ａx1，経度Ａy1）を通過する頃に、前記第２過程と同様にして、前記ＧＰＳ連動ガイドプログラム５１４０によって前記検索位置データ（緯度Ｘc±α，経度Ｙc±α）の条件に適合するＧＰＳ対応コード「ＳＡ店舗（９０２）」の業種コード７０３２（図１９）を有する利用ガイドＩＤ７０５１が検索されると、前記時間管理システム４１１０の認証処理プログラム５１１０が実行され、該実行により、前記識別情報４２１１と該利用ガイドＩＤ７０５１に含まれる提携店位置データ（緯度Ａxn，経度Ａyn）を構成要素とする認証コード６５１０が生成されると共に、前記提携店ガイドデータベース３０５０から該利用ガイドＩＤ７０５１に対応する利用ガイドデータ６０５１の消費条件パラメータ７０５３が抽出され、該認証コード６５１０と該消費条件パラメータ７０５３が、インターネット１９００を介して、上記クライアント装置２２１０に送信され、該送信された認証コード６５１０と消費条件パラメータ７０５３が該クライアント装置の専用アプリ４２１０によって取得されると、該専用アプリ４２１０によって該認証コード６５１０と消費条件パラメータ７０５３が上記位置計測プログラム５２２０の計測パラメータ７２２１にセットされて該位置計測プログラム５２２０が実行され、該実行により、例えば、該送信された消費条件パラメータ７０５３に「計測継続」に対応するフラグコードが検出されると、該検出された時刻が第１中間時刻（Ｔp1）として該専用アプリ４２１０によって取得されると共に、前述の［時間計測に基づく発行ポイント算出処理］で説明した方法と同様にして、該取得された第１中間時刻（Ｔp1）を計測終了時刻（Ｔe）に対応させた、上記計測開始時刻（Ｔs）から該第１中間時刻（Ｔp1）までの時間ポイント（Ｅp1）が算出され、更に、前述の［時間ポイントの発行履歴データ管理処理］で説明した方法と同様にして、時間ポイントの発行履歴が記録される。
【０１８１】
ここで、例えば、上記消費条件パラメータ７０５３に「計測終了」に対応するフラグコードが検出されると、該検出された時刻が計測終了時刻（Ｔe）として上記専用アプリ４２１０によって取得されると共に、前述の［時間計測に基づく発行ポイント算出処理］で説明した方法と同様にして、上記の第１中間時刻（Ｔp1）を計測開始時刻（Ｔs）に対応させた、該第１中間時刻（Ｔp1）から計測終了時刻（Ｔe）までの時間ポイント（Ｅp2）が算出され、更に、前述の［時間ポイントの発行履歴データ管理処理］で説明した方法と同様にして、時間ポイントの発行履歴が記録される。
【０１８２】
なお、上述の例では、時間ポイントを全ての走行時間に応じて一定に発行したが、前述した様に、渋滞なく各区間を所定の制限速度で走行したときの所要時間との差によって上記発行条件パラメータの調整時間（Ｃt）が調整される様に構成し、例えば、該差が一定以上になると該発行条件パラメーの調整時間（Ｃt）を該差の分だけ小さくなる様に構成して発行する時間ポイントを多くしたり、また、該差が一定以下になると該発行条件パラメータの調整時間（Ｃt）が該差の分だけ大きくなる様に構成して発行する時間ポイントを少なくしたりすることもできる。
【０１８３】
この様にして発行された時間ポイントは、前述の［ユーザによる所定の消費操作］や［消費操作に基づく時間計測処理］、［時間計測処理に基づく消費ポイントの算出処理］で説明した方法により、例えば、前述したサービスエリア内の特定店舗が提供する「販促時間」に利用（消費）され、前述の［時間ポイントの消費履歴データ管理処理］で説明した処理が行われる。
【０１８４】
以上の様な構成によれば、例えば、渋滞する高速道路を適度な休憩を摂りながら制限速度を守って走行するユーザに対して、より多くの時間ポイントが発行されるので、道路交通における秩序向上が大いに期待できる。
【０１８５】
また、ここまで説明した本発明の第１の実施形態を参考すれば、前述した様な位置通知装置や位置データによって加盟店や提携店の所在地を取得し、また、前述した様な電波検知器やＧＰＳ機能を備えたクライアント装置によってユーザの現在位置を取得する構成が考えられ、例えば、遠方から来店してくれるユーザにより多くの時間ポイントが発行される販促サービスを容易に企画できる。
【０１８６】
この様な企画は、前述の［「ＧＰＳ連動ガイド」の提供方法］や［ＧＰＳ機能による時間計測処理］で説明した構成を参考にして、例えば、ユーザが、上記クライアント装置の専用アプリによって提供される「サービスメニュー」の「ＧＰＳ連動ガイド」から加盟リストや提携店リストを取得して上記販促サービスを行う加盟店を選択すると、該選択された加盟店の案内ガイドに「今から訪問」なるフォームボタンが提供され、該フォームボタンがサブミットされると、該サブミット時点におけるクライアント位置データと該専用アプリの識別情報が時間管理システムに送信され、該送信されたクライアント位置データ（緯度Ｘc1，経度Ｙc1）を前述の高速道路における「第１料金所」に見立てた時間計測が開始されると共に、計測開始時刻（Ｔs）が取得され、また、該ユーザが該加盟店に到着すると、例えば、該加盟店の位置通知装置が該クライアント装置によって検知された時点、或いは、該加盟店の加盟店位置データ（緯度Ｐxn，経度Ｐyn）とユーザの到着時点におけるクライアント位置データ（緯度Ｘ2，経度Ｙ2）が所定の範囲内で一致した時点で時間計測が終了すると共に、計測終了時刻（Ｔe）が取得され、該計測開始時刻（Ｔs）と該計測終了時刻（Ｔe）に基づく時間ポイントが発行される構成によって容易に実現でき、地域の活性化にも役立つ可能性がある。
【実施例２】
【０１８７】
本発明の第２の実施形態では、時間を単位とする販促ポイントがユーザの特定操作に関する所定の経過時間を計測して発行または消費されることを特徴とする。
【０１８８】
時間を単位とする販促用電子ポイントの発行条件として計測される時間は、上述の第１の実施形態で規定される位置通知装置やＧＰＳ機能を用いたクライアント装置の専用アプリによって取得される計測開始時刻（Ｔs）と計測終了時刻（Ｔe）、即ち、ユーザの特定場所における所定の経過時間に限定されるものではなく、例えば、ネットショップにおいて商品を注文してから該商品が届くまでの商品注文に関する時間やネット広告において動画広告をクリックして該動画広告が終了するまでの広告表示に関する時間、或いは、ネットゲームにおいて、ゲームを開始してから該ゲームを終了するまでのゲーム操作に関する時間など、ユーザの特定操作に関する所定の経過時間を計測して構成することができる。
【０１８９】
当然ながら、上述の第１の実施形態において、［時間計測処理に基づく発行ポイントの算出処理］や［時間計測処理に基づく消費ポイントの算出処理］で説明した時間ポイントの発行数や消費数の算出については、専用アプリのポイント発行プログラムやポイント消費プログラムによる算出に限定されるものではなく、例えば、該ポイント発行プログラムやポイント消費プログラムと同等の算出機能を時間管理システムを構成するアプリケーションサーバ装置の条件管理プログラムに設けることによって構成することができる。
【０１９０】
この場合、先ず、ネットショップにおける商品注文に関する時間を計測する方法については、図１２の概要図で示す様に、ユーザのクライアント装置とネットショップのＥＣシステム４３１０とポイント管理センター１１００の時間管理システム４１１０が、インターネット１９００を介したＷｅｂネットワークによって接続され、また、上述の第１の実施形態で説明した専用アプリ４２１０を構成するポイント発行プログラム５２３０の時刻設定パラメータ７２３１に相応する時間計測パラメータ７３１１が、電子メールや周知のＷｅｂ−ＡＰＩ（アプリケーション・プログラミング・インターフェイス）などによって、該ネットショップのＥＣシステム４２１０と該時間管理システム４１１０との間で送受信される構成において、例えば、ユーザによって該ネットショップに対する商品注文を確定する「オーダ」ボタンがクリックされると、該商品注文に関するオーダ情報が該ネットショップのＥＣシステム４３１０によって取得され、該取得された時刻が計測開始時刻（Ｔs）として該時間計測パラメータ７３１１の開始時刻フィールドにセットされると、インターネット１９００を介して、該時間管理システム４１１０において該計測開始時刻（Ｔs）が取得され、また、該ネットショップが宅配業者を使って該注文された商品をユーザに発送し、例えば、該宅配業者の宅配システム４４２０から配達完了通知が該ネットショップのＥＣシステム４３１０に送信されると、該配達完了通知が該ネットショップのＥＣシステム４３１０において取得され、該取得された時刻が計測終了時刻（Ｔe）として該時間計測パラメータ７３１１の終了時刻フィールドにセットされると、インターネット１９００を介して、該時間管理システム４１１０において該計測終了時刻（Ｔe）が取得され、ネットショップにおける商品注文に関する時間を計測することができる。
【０１９１】
ここで、上記のＷｅｂーＡＰＩに関しては、本発明の出願時点において、例えば、日経コンピュータのＩＴｐｒ（http://itpro.nikkeibp.co.jp/article/Keyword/20070829/280600/）に、「Web APIとは，Webサイトなどの開発を効率的に行うための技術である。」「ＡＰＩは、Application Programming Interfaceの略で、アプリケーションの開発者が，他のハードウエアやソフトウエアの提供している機能を利用するための手法である。」「Ｗｅｂ−ＡＰＩは、Ｗｅｂサイトなどの開発のために、インターネット経由で利用できるＡＰＩである」「Ｗｅｂ ＡＰＩでは、ＡＰＩを公開する側と利用する側で命令やデータをやりとりする技術として、ＳＯＡＰやＲＥＳＴと呼ばれる技術を使う。これらは，ＨＴＴＰなどのプロトコルを使って、ＸＭＬ形式のデータをやりとりするためのしくみである。こうしたインターネットの標準的な技術を使うため、開発や利用に特定の環境を要求しないという柔軟性がＷｅｂ−ＡＰＩの特徴の一つだ。」と記載され、また、Ｇｏｏｇｌｅ ＭａｐｓＡＰＩ ウェブサービス（https://developers.google.com/maps/documentation/webservices/?hl=ja）には、以下の様に記載されている。
「ウェブサービスについて
／
Ｇｏｏｇｌｅ ＭａｐｓＡＰＩによって提供されるウェブ サービスは、外部のサービスからＭａｐｓＡＰＩデータをリクエストしたり、地図アプリケーションでＭａｐｓＡＰＩデータを使用するためのインターフェースとして機能します。これらのサービスは、ＭａｐｓＡＰＩデータ利用規約のライセンス制限の下で、地図と組み合わせて使用するように設計されています。
／
これらのウェブサービスでは、特定のＵＲＬへのＨＴＴＰリクエストを使用し、引数としてＵＲＬパラメータをサービスに渡します。通常、これらのサービスは、アプリケーションで解析や処理ができるように、ＨＴＴＰリクエストに対するデータをＪＡＳＯＮまたはＸＭＬで返します。
／
一般的なウェブサービスリクエストは、次のような形式です:
http://maps.googleapis.com/maps/api/service/output?parameters
ｓｅｒｖｉｃｅはリクエストする特定のサービスを示し、ｏｕｔｐｕｔはレスポンスの形式（通常はｊｓｏｎまたはｘｍｌ）を示します。」
【０１９２】
［Ｗｅｂ−ＡＰＩによる計測時間の取得］
この様な周知のＷｅｂ−ＡＰＩに関する技術を用い、例えば、図１２の概要図で示した様に、前記ネットショップを上述の第１の実施形態で説明した加盟店に見立てた該ネットショップの加盟店ＩＤ７０２１（図１６）にＷｅｂ−ＡＰＩ用のパラメータとして”ｓｈｏｐ＿ｉｄ”を対応させ、該ネットショップのＥＣシステム４３１０を第１の実施形態で説明した位置通知装置に見立てた該ＥＣシステム４３１０の識別情報２３２１（図２０）にＷｅｂ−ＡＰＩ用のパラメータとして”ｅｃｓｙｓ＿ｉｄ”を対応させ、また、該ネットショップのユーザを第１の実施形態で説明したユーザ１２００に見立てた該ユーザ１２００のユーザＩＤ７０１１（図１５）にＷｅｂ−ＡＰＩ用のパラメータとして”ｕｓｅｒ＿ｉｄ”を対応させ、更に、該ＥＣシステム４２１０におけるオーダ情報の取得時刻、即ち、前記計測開始時刻（Ｔs）にＷｅｂ−ＡＰＩ用のパラメータとして”１ｓｔｔｉｍｅ”を、そして、該ＥＣシステム４２１０における配達完了通知の取得時刻、即ち、前記計測終了時刻（Ｔe）にＷｅｂ−ＡＰＩ用のパラメータとして”２ｎｄｔｉｍｅ”を、それぞれ対応させれば、該時間管理システム４１１０は、これらＷｅｂ−ＡＰＩ用のパラメータを介して、該ＥＣシステム４２１０から、該”１ｓｔｔｉｍｅ”の値を該時間計測パラメータ７３１１の開始時刻フィールドの値として、また、該”２ｎｄｔｉｍｅ”の値を該時間計測パラメータ７３１１の終了時刻フィールドの値として、容易に取得することができる。
【０１９３】
具体的には、図１２で示した様に、例えば、該時間管理システム４１１０を構成するアプリケーションサーバ装置２１２０に、周知のＨＴＭＬ言語とＪａｖａＳｃｒｉｐｔやＰＨＰ、Ｐｅｒｌ、Ｊａｖａ、ＣやＣ++などのプログラム言語によって開発されたＷｅｂ−ＡＰＩ対応プログラム５１５０を設け、先ず、前記ネットショップのＥＣシステム４３１
０による前記オーダ情報の取得時に、上記の加盟店１３００に見立てたネットショップの前記加盟店ＩＤ７０２１に対応する”ｓｈｏｐ＿ｉｄ”の値と位置通知装置２３２０に見立てたＥＣシステム４３１０の前記識別情報２３２１に対応する”ｅｃｓｙｓ＿ｉｄ”の値とユーザ１２００に見立てた該ネットショップユーザの前記ユーザＩＤ７０１１に対応する”ｕｓｅｒ＿ｉｄ”の値及び該オーダ情報の取得時刻、即ち、計測開始時刻（Ｔs）に対応する”１ｓｔｔｉｍｅ”の値に関するＸＭＬコードが、該時間管理センター１１１０によって定められる仕様に基づいて出力され、また、該ＥＣシステム４３１０による前記配達完了通知の取得時に、該ユーザＩＤ７０１１に対応する”ｕｓｅｒ＿ｉｄ”の値と該配達完了通知の取得時刻、即ち、計測終了時刻（Ｔe）に対応する”２ｎｄｔｉｍｅ”の値に関するＸＭＬコードが、該時間管理センター１１１０によって定められる仕様に基づいて出力され、順次、他のユーザについても同様の処理が行われ、例えば、図１２の（ア）で示す、以下の様な「ネットショップ用ＸＭＬファイル（ｎｅｔｓｈｏｐ−０１.ｘｍｌ）」が、該ネットショップのＥＣシステム４３１０において、記憶装置やメモリなどに一時保存するなどして準備される。
【０１９４】
<?xml ver=""netshop api 1.0"" ?>
<shop>
<timedata>
<shop_id>pt01001（※ネットショップの加盟店ＩＤ７０２１）</shop_id>
<ecsys_id>wp01001（※ＥＣシステム４３１０の識別情報２３２１）</ecsys_id>
<user_id>us00001（※ネットショップユーザのユーザＩＤ７０１１）</user_id>
<1sttime>20141010180101（※オーダ情報の取得時刻＝計測開始時刻Ｔs）</1sttime>
<2ndtime>20141011120101（※配達完了通知の取得時刻＝計測終了時刻Ｔe）</2ndtime>
</timedata>
・・・・・
<timedata>
<shop_id>pt01001</shop_id>
<ecsys_id>wp01001</ecsys_id>
<user_id>us00102（※次のユーザに関する）</user_id>
<1sttime>20141015201010</1sttime>
<2ndtime>20141017101515</2ndtime>
</timedata>
・・・・・
</shop>
【０１９５】
ここで、上記の時間管理システム４１１０において、例えば、図１２の（イ）で示す、周知のＨＴＭＬ言語とＪａｖａＳｃｒｉｐｔによる以下の様な「ネットショップ用Ｗｅｂ−ＡＰＩコード」を含むＷｅｂ−ＡＰＩ対応プログラム５１５０が定期的または随時に実行されると、
// ---------------
//  HTML
// ---------------
<div id=""timedata"">
<ul></ul>
</div>
// ---------------
//  JavaScript
// ---------------
$(function(){
$.ajax({
url:'http://www.netshop.com/api/netshop-01.xml',
type:'GET',
dataType:'xml',
timeout:1000,
error:function() {
alert(""loading error !!!"");
},
success:function(xml){
$(xml).find(""timedata"").each(function() {
$(""#timedata ul"").append('<li> +
$(this).find('shop_id').text() +
$(this).find('ecsys_id').text() +
$(this).find('user_id').text() +
$(this).find('1sttime').text() +
$(this).find('2ndtime').text() +
'</li>');
});
}
});
});
【０１９６】
該時間管理システム４１１０において、前記計測開始時刻（Ｔs）が「１ｓｔｔｉｍｅ」によって、また、前記計測終了時刻（Ｔe）が「２ｎｄｔｉｍｅ」によって、それぞれ定期的または随時に取得される。
【０１９７】
そして、図１２で示す様に、時間管理システム４１１０において取得された前記計測開始時刻（Ｔs）と前記計測終了時刻（Ｔe）に基づく時間ポイントは、前述の構成、即ち、専用アプリ４２１０のポイント発行プログラム５２３０やポイント消費プログラム５２４０と同等の算出機能を有する時間管理システム４１１０の条件管理プログラム５１２０によって、位置通知装置２３２０に見立てた前記ＥＣシステム４３１０の識別情報２３２１に基づき加盟店ガイドデータベース３０４０（図１８）から発行対象データ７０４２と発行条件パラメータ７０４３からなる案内ガイドデータ６０４１が抽出され、また、該発行対象データ７０４２に設定された対象時間データ８０４２と該発行条件パラメータ７０４３に基づき第１の実施形態の［時間計測処理に基づく発行ポイントの算出処理］で説明した算出方法と同様にして算出され、更に、第１の実施形態の［時間ポイントの発行履歴データ管理処理］で説明したポイント発行履歴データの記録方法と同様にして、該ユーザのユーザＩＤ７０１１と前記ＥＣシステム４３１０の識別情報２３２１及び該算出された時間ポイントの発行数からなるポイント発行履歴データがポイント管理データベース３０７０（図２１）に記録される。
【０１９８】
また、この様にして発行された時間ポイントに関する情報は、以下の様なＷｅｂ−ＡＰＩコードによって、前記ネットショップのユーザに簡単に提供することができる。
【０１９９】
具体的には、前記ＥＣシステム４３１０がユーザに提供するネットショップのＷｅｂページ、即ち、ＨＴＭＬリソースに、例えば、図１２の（ウ）で示す、前述の一般的なウェブサービスリクエストを用いた以下の様なコードを付加し、前記Ｗｅｂ−ＡＰＩ対応プログラム５１５０を設えた時間管理システム４１１０にアクセスさせることで実現できる。
【０２００】
http://timeserver.adazro.com/api/timewallet/Search?key=TimePoint&user_id=us00001&shop_id=pt01001
或いは、ＪａｖａＳｃｒｉｐｔを用いた以下の様なコードを付加することによっても実現できる。
【０２０１】
<script type="text/javascript"
src="http://timeserver.adazro.com/api/timewallet/Search?key=TimePoint&user_id=us00001&shop_id=pt01001">
</script>
【０２０２】
なお、上記のコードは、例えば、”ｔｉｍｅｓｅｒｖｅｒ.ａｄａｚｅｒｏ.ｃｏｍ”で指定される上記時間管理システム４１１０に対し、”ａｐｉ／”にある”ｔｉｍｅｗａｌｌｅｔ”なるＷｅｂ−ＡＰＩ対応プログラム５１５０を実行して、ユーザＩＤ７０１１に”ｕｓ００００１”を代入し、また、加盟店１３００の加盟店ＩＤ７０２１に”ｐｔ００００１”を代入して、”ｋｅｙ＝ＴｉｍｅＰｏｉｎｔ”に関する情報を要求するウェブサービスリクエストに相当する。
【０２０３】
また、図１２で示す様に、上記の計測終了時刻（Ｔe）が時間管理システム４１１０において取得される方法については、上記のユーザに第１の実施形態で説明したＢｌｕｅｔｏｏｔｈ規格の電波を検知する周知の電波検知器と周知のＧＰＳ機能を備えたスマートフォン（携帯電話）やタブレットＰＣなどの携帯端末であって、該電波検知器の電波受信状態を監視しながら時間計測を行う受信計測プログラムと該ＧＰＳ機能によって計測される現在位置の測位データを取得しながら時間計測を行う位置計測プログラム及び時間ポイントの発行管理を行うためのポイント発行プログラムや時間ポイントの消費管理を行うためのポイント消費プログラムからなる専用アプリがインストールされたクライアント装置２２１０を保有させ、また、宅配業者の配達員に前述の位置通知装置を所持させれば、該宅配業者の配達員は前述の加盟店に相当し、また、該配達員が所持する位置通知装置は該加盟店の位置通知装置２３２０に相当するので、上記の様に、宅配業者の宅配システム４２２０とネットショップのＥＣシステム４２１０を経由することなく、簡単に実現できる。
【０２０４】
この場合、該時間管理システム４１１０は、第１の実施形態の［ユーザによる所定の消費操作］で図３を用いて説明した、専用アプリ４２１０によって送信される位置通知装置２３２０の識別情報２３２１と該専用アプリ４２１０の識別情報４２１１を受信した時刻を上記の計測終了時刻（Ｔe）として取得することになる。
【０２０５】
次に、ネット広告における広告表示に関する時間を計測する方法については、図１３の概要図で示す様に、ユーザのクライアント装置とネット広告企業の広告配信システム４４１０とポイント管理センター１１００の時間管理システム４１１０が、インターネット１９００を介したＷｅｂネットワークによって接続され、また、前述した専用アプリ４２１０を構成するポイント発行プログラム５２３０の時刻設定パラメータ７２３１に相応する時間計測パラメータ７４１１が、電子メールや前述の［Ｗｅｂ−ＡＰＩによる計測時間の取得］で説明した方法などによって、該ネット広告企業の広告配信システム４４１０と該時間管理システム４１１０との間で送受信される構成において、例えば、ユーザによって該広告配信システム４４１０が配信する動画広告が再生されることを示す「再生開始」ボタンがクリックされると、該動画広告の再生開始情報が該ネット広告企業の広告配信システム４４１０によって取得され、該取得された時刻が計測開始時刻（Ｔs）として該時間計測パラメータ７４１１の開始時刻フィールドにセットされると、インターネット１９００を介して、該時間管理システム４１１０において該計測開始時刻（Ｔs）が取得され、また、該ユーザのクライアント装置において該動画広告の再生が終了すると、該動画広告の再生終了情報が該ネット広告企業の広告配信システム４４１０によって取得され、該取得された時刻が計測終了時刻（Ｔe）として該時間計測パラメータ７４１１の終了時刻フィールドにセットされると、インターネット１９００を介して、該時間管理システム４１１０において該計測終了時刻（Ｔe）が取得されることによって構成することができる。
【０２０６】
具体的には、図１３で示した様に、例えば、該時間管理システム４１１０を構成するアプリケーションサーバ装置２１２０に前述のＷｅｂ−ＡＰＩ対応プログラム５１５０を設け、先ず、前記ネット広告企業の広告配信システム４４１０による前記再生開始情報の取得時に、前述した加盟店１３００に見立てたネット広告企業の加盟店ＩＤ７０２１（図１６）に対応する”ｓｈｏｐ＿ｉｄ”の値と位置通知装置２３２０に見立てた広告配信システム４４１０の識別情報２３２１（図２０）に対応する”ａｄｓｙｓ＿ｉｄ”の値とユーザ１２００に見立てた該ネット広告企業の広告を視聴するユーザのユーザＩＤ７０１１（図１５）に対応する”ｕｓｅｒ＿ｉｄ”の値及び該再生開始情報の取得時刻、即ち、計測開始時刻（Ｔs）に対応する”１ｓｔｔｉｍｅ”の値に関するＸＭＬコードが、該時間管理センター１１１０によって定められる仕様に基づいて出力され、また、該広告配信システム４４１０による前記再生終了情報の取得時に、該ユーザＩＤ７０１１に対応する”ｕｓｅｒ＿ｉｄ”の値と該再生終了情報の取得時刻、即ち、計測終了時刻（Ｔe）に対応する”２ｎｄｔｉｍｅ”の値に関するＸＭＬコードが、該時間管理センター１１１０によって定められる仕様に基づいて出力され、順次、他のユーザについても同様の処理が行われ、例えば、図１３の（ア）で示した「ネット広告企業用ＸＭＬファイル（ａｄｃｏｍ−０１.ｘｍｌ）」が、該ネット広告企業の広告配信システム４４１０において、記憶装置やメモリなどに一時保存するなどして準備される。
【０２０７】
ここで、該時間管理システム４１１０において、例えば、図１３の（イ）で示した「ネット広告企業用Ｗｅｂ−ＡＰＩコード」を含む上記Ｗｅｂ−ＡＰＩ対応プログラム５１５０が定期的または随時に実行されると、該時間管理システム４１１０において、前記計測開始時刻（Ｔs）が「１ｓｔｔｉｍｅ」によって、また、前記計測終了時刻（Ｔe）が「２ｎｄｔｉｍｅ」によって、それぞれ定期的または随時に取得される。
【０２０８】
そして、図１３で示す様に、時間管理システム４１１０において取得された前記計測開始時刻（Ｔs）と前記計測終了時刻（Ｔe）に基づく時間ポイントは、前述の通り、該時間管理システム４１１０の条件管理プログラム５１２０によって、位置通知装置２３２０に見立てた前記ＥＣシステム４３１０の識別情報２３２１に基づき加盟店ガイドデータベース３０４０（図１８）から発行対象データ７０４２と発行条件パラメータ７０４３からなる案内ガイドデータ６０４１が抽出され、また、該発行対象データ７０４２に設定された対象時間データ８０４２と該発行条件パラメータ７０４３に基づき前述の［時間計測処理に基づく発行ポイントの算出処理］で説明した算出方法と同様にして算出され、更に、前述の［時間ポイントの発行履歴データ管理処理］で説明したポイント発行履歴データの記録方法と同様にして、該ユーザのユーザＩＤ７０１１と前記ＥＣシステム４３１０の識別情報２３２１及び該算出された時間ポイントの発行数からなるポイント発行履歴データがポイント管理データベース３０７０（図２１）に記録される。
【０２０９】
また、この様にして発行された時間ポイントに関する情報は、図１３の（ウ）「Ｗｅｂ−ＡＰＩコードによる時間ポイント情報の提供」で示したＷｅｂ−ＡＰＩコードによって、上記のネット広告企業の広告を視聴するユーザに簡単に提供することができる。
【０２１０】
更に、ネットゲームにおけるゲーム操作に関する時間を計測する方法については、図１４の概要図で示す様に、ユーザのクライアント装置とネットゲーム企業のゲームシステム４５１０とポイント管理センター１１００の時間管理システム４１１０が、インターネット１９００を介したＷｅｂネットワークによって接続され、また、前述した専用アプリ４２１０を構成するポイント発行プログラム５２３０の時刻設定パラメータ７２３１に相応する時間計測パラメータ７５１１が、電子メールや前述の［ＷｅｂーＡＰＩによる計測時間の取得］で説明した方法などによって、該ネットゲーム企業のゲームシステム４５１０と該時間管理システム４１１０との間で送受信される構成において、例えば、ユーザによって該ゲームシステム４５１０が提供するゲームのプレイが開始されることを示す「スタート」ボタンがクリックされると、該ゲームのスタート情報が該ネットゲーム企業のゲームシステム４５１０によって取得され、該取得された時刻が計測開始時刻（Ｔs）として該時間計測パラメータ７５１１の開始時刻フィールドにセットされると、インターネット１９００を介して、該時間管理システム４１１０において該計測開始時刻（Ｔs）が取得され、また、該ユーザのクライアント装置において該ゲームが終了すると、該ゲームのゲームオーバー情報が該ネットゲーム企業のゲームシステム４４１０によって取得され、該取得された時刻が計測終了時刻（Ｔe）として該時間計測パラメータ７５１１の終了時刻フィールドにセットされると、インターネット１９００を介して、該時間管理システム４１１０において該計測終了時刻（Ｔe）が取得されることによって構成することができる。
【０２１１】
具体的には、図１４で示した様に、例えば、該時間管理システム４１１０を構成するアプリケーションサーバ装置２１２０に、前述のＷｅｂ−ＡＰＩ対応プログラム５１５０を設け、先ず、前記ネットゲーム企業のゲームシステム４５１０による前記スタート情報の取得時に、前述した加盟店１３００に見立てたネットゲーム企業の加盟店ＩＤ７０２１（図１６）に対応する”ｓｈｏｐ＿ｉｄ”の値と位置通知装置２３２０に見立てたゲームシステム４５１０の識別情報２３２１（図２０）に対応する”ｇｍｓｙｓ＿ｉｄ”の値とユーザ１２００に見立てた該ネットゲーム企業のゲームをプレイするユーザのユーザＩＤ７０１１（図１５）に対応する”ｕｓｅｒ＿ｉｄ”の値及び該スタート情報の取得時刻、即ち、計測開始時刻（Ｔs）に対応する”１ｓｔｔｉｍｅ”の値に関するＸＭＬコードが、該時間管理センター１１１０によって定められる仕様に基づいて出力され、また、該ゲームシステム４５１０による前記ゲームオーバー情報の取得時に、該ユーザＩＤ７０１１に対応する”ｕｓｅｒ＿ｉｄ”の値と該ゲームオーバー情報の取得時刻、即ち、計測終了時刻（Ｔe）に対応する”２ｎｄｔｉｍｅ”の値に関するＸＭＬコードが、該時間管理センター１１１０によって定められる仕様に基づいて出力され、順次、他のユーザについても同様の処理が行われ、例えば、図１４の（ア）で示した「ネットゲーム企業用ＸＭＬファイル（ｇｍｃｏｍ−０１.ｘｍｌ）」が、該ネットゲーム企業のゲームシステム４５１０において、記憶装置やメモリなどに一時保存するなどして準備される。
【０２１２】
ここで、該時間管理システム４１１０において、例えば、図１４の（イ）で示した「ネットゲーム企業用Ｗｅｂ−ＡＰＩコード」を含む上記Ｗｅｂ−ＡＰＩ対応プログラム５１５０が定期的または随時に実行されると、該時間管理システム４１１０において、前記計測開始時刻（Ｔs）が「１ｓｔｔｉｍｅ」によって、また、前記計測終了時刻（Ｔe）が「２ｎｄｔｉｍｅ」によって、それぞれ定期的または随時に取得される。
【０２１３】
そして、図１４で示す様に、時間管理システム４１１０において取得された前記計測開始時刻（Ｔs）と前記計測終了時刻（Ｔe）に基づく時間ポイントは、前述の通り、該時間管理システム４１１０の条件管理プログラム５１２０によって、位置通知装置２３２０に見立てた前記ＥＣシステム４３１０の識別情報２３２１に基づき加盟店ガイドデータベース３０４０（図１８）から発行対象データ７０４２と発行条件パラメータ７０４３からなる案内ガイドデータ６０４１が抽出され、また、該発行対象データ７０４２に設定された対象時間データ８０４２と該発行条件パラメータ７０４３に基づき前述の［時間計測処理に基づく発行ポイントの算出処理］で説明した算出方法と同様にして算出され、更に、前述の［時間ポイントの発行履歴データ管理処理］で説明したポイント発行履歴データの記録方法と同様にして、該ユーザのユーザＩＤ７０１１と前記ＥＣシステム４３１０の識別情報２３２１及び該算出された時間ポイントの発行数からなるポイント発行履歴データがポイント管理データベース３０７０に記録される。
【０２１４】
また、この様にして発行された時間ポイントに関する情報は、図１４の（ウ）「Ｗｅｂ−ＡＰＩコードによる時間ポイント情報の提供」で示したＷｅｂ−ＡＰＩコードによって、上記のネットゲーム企業のゲームをプレイするユーザに簡単に提供することができる。
【０２１５】
最後に、本発明による時間ポイントは、物理的な相対値である時間を単位として発行または消費される販促ポイントであることから、為替のような交換レートを気にすることなく、また、前述したような膨大なシステムコストを負担せずに、世界共通の販促ポイントとして流通させることが可能になれば、販促効果だけでなく、コミュニケーションのツールとしても、その効果が大いに期待できる。
【符号の説明】
【０２１６】
１１００      ポイント管理センター
１２００      ユーザ
１３００      加盟店
２１０４      通信制御装置
２１１０      ＷＥＢサーバ装置
２１０２      アプリケーションサーバ装置
２１３０      データベースサーバ装置
２２１１      電波検知器
２３２０      位置通知装置
３０１０      ユーザ管理ＤＢ
３０２０      加盟店管理ＤＢ
３０３０      販売店管理ＤＢ
３０４０      販売店ガイドＤＢ
３０５０      提携店ガイドＤＢ
３０６０      位置通知装置ＤＢ
３０７０      ポイント管理ＤＢ
４２１０      専用アプリ
５１１０      認証プログラム
５１２０      条件管理プログラム
５１３０      ポイント管理プログラム
５１４０      ＧＰＳ連動ガイドプログラム
５１５０      Ｗｅｂ−ＡＰＩ対応プログラム
【図１】
2019079557.tif 000003
【図２】
2019079557.tif 000004
【図３】
2019079557.tif 000005
【図４】
2019079557.tif 000006
【図５】
2019079557.tif 000007
【図６】
2019079557.tif 000008
【図７】
2019079557.tif 000009
【図８】
2019079557.tif 000010
【図９】
2019079557.tif 000011
【図１０】
2019079557.tif 000012
【図１１】
2019079557.tif 000013
【図１２】
2019079557.tif 000014
【図１３−１】
2019079557.tif 000015
【図１３−２】
2019079557.tif 000016
【図１４−１】
2019079557.tif 000017
【図１４−２】
2019079557.tif 000018
【図１５】
2019079557.tif 000019
【図１６】
2019079557.tif 000020
【図１７】
2019079557.tif 000021
【図１８】
2019079557.tif 000022
【図１９】
2019079557.tif 000023
【図２０】
2019079557.tif 000024
【図２１】
2019079557.tif 000025
【図２２】
2019079557.tif 000026